(57)【要約】  構成可能な吸収性物品が提供される。吸収性物品は、トップシートと、バックシートと、トップシートとバックシートとの中間に少なくとも部分的に位置する吸収性コアと、を備えてもよい。吸収性物品は、第１の腰部領域と、第２の腰部領域と、第１の腰部領域と第２の腰部領域との中間に延在する股部領域と、バックシートに接合され、吸収性物品の衣類対向面の一部を形成する、外側カバー材料と、を備えてもよい。吸収性物品は、一対のレッグカフと、完全に取り外し可能な締着部材と、を備えてもよい。締着部材は、締着部材の第１の表面に、第１の端部に近接して位置付けられた、第１の締着部と、第１の表面に、第２の端部に近接して位置付けられた第２の締着部と、を含んでもよい。吸収性物品はまた、湿りガードを備えてもよい。
2019505337.tif 000002
【特許請求の範囲】
【請求項１】
吸収性物品であって、
横方向中心軸線と、
長手方向中心軸線と、
液体透過性トップシートと、
液体不透過性バックシートと、
前記液体透過性トップシートと前記液体不透過性バックシートとの中間に少なくとも部分的に位置付けられた吸収性コアと、
第１の腰部領域と、
第２の腰部領域と、
前記第１の腰部領域と前記第２の腰部領域との中間に延在する股部領域と、
前記バックシートに接合され、前記吸収性物品の衣服対向面の一部を形成する、外側カバー材料と、
一対のレッグカフと、
前記股部領域における一対の股絞りジョイントと、を備え、
前記吸収性物品は、
ａ）完全に取り外し可能な締着部材であって、
第１の表面と、
前記第１の表面と反対側の第２の表面と、
第１の端部と、
前記第１の端部と反対側の第２の端部と、
前記第１の表面上にあり、前記第１の端部に近接して位置付けられた、第１の締着部と、
前記第１の表面上にあり、前記第２の端部に近接して位置付けられた、第２の締着部と、を含む、締着部材、又は
ｂ）前記第１の腰部領域若しくは前記第２の腰部領域における別個の湿りガードであって、前記湿りガードは、前記吸収性物品の着用者対向面の一部を形成する、湿りガードを備える、吸収性物品。
【請求項２】
前記吸収性物品は、前記完全に取り外し可能な締着部材と、前記湿りガードと、を備える、請求項１に記載の吸収性物品。
【請求項３】
前記湿りガードは、
前記トップシートに対向する第１の液体不透過性層と、
前記着用者対向面の一部を形成する液体透過性層と、を含む、請求項１又は２に記載の吸収性物品。
【請求項４】
前記第２の腰部領域において第２の湿りガードを備え、前記湿りガードは、前記第１の腰部領域にあり、前記第２の湿りガードは、前記吸収性物品の前記着用者対向面の一部を形成する、請求項１〜３のいずれか一項に記載の吸収性物品。
【請求項５】
前記第１の締着部は、前記外側カバー材料を係合するように構成された複数の第１のフックを含み、前記第２の締着部は、前記外側カバー材料を係合するように構成された複数の第２のフックを含み、前記完全に取り外し可能な締着部材は、内部に画定されたスロット又は開口部を有し、前記スロット開口部は、前記第１の締着部と前記第２の締着部との中間に位置付けられている、請求項１〜４のいずれか一項に記載の吸収性物品。
【請求項６】
前記第１の腰部領域が前記第２の腰部領域と対向する関係となるように、前記吸収性物品が前記横方向中心軸線を中心に折り返されると、前記股部領域の一部は、３５ｍｍ未満の幅を有する、請求項１〜５のいずれか一項に記載の吸収性物品。
【請求項７】
前記第１の腰部領域において第１の腰縁部を備え、前記第１の腰縁部は、内部に画定された第１の臍帯切り欠き部を有するか、又は第１の臍帯突起部を含む、請求項１〜６のいずれか一項に記載の吸収性物品。
【請求項８】
前記トップシートと前記吸収性コアとの中間に少なくとも部分的に位置付けられた捕捉層を備え、前記トップシートは、複数の開口部を含み、前記外側カバー材料は、本明細書に記載の不透明度試験による、約５％〜約３０％の範囲内の不透明度を有し、前記バックシートは、本明細書に記載の不透明度試験による、約１５％〜約７０％の範囲内の不透明度を有する、請求項１〜７のいずれか一項に記載の吸収性物品。
【請求項９】
前記吸収性コアは、吸収性材料を含み、前記吸収性材料は、前記第１の腰部領域において、前記横方向中心軸線に対して平行な方向に、第１の幅を有し、前記吸収性材料は、前記第２の腰部領域において、前記横方向中心軸線に対して平行な前記方向に、第２の幅を有し、前記吸収性材料は、前記股部領域において、前記横方向中心軸線に対して平行な前記方向に、第３の幅を有し、前記第１の幅及び前記第２の幅は、前記第３の幅より大きい、請求項１〜８のいずれか一項に記載の吸収性物品。
【請求項１０】
前記締着部材は、
前記第１の表面の一部を形成する第１の不織布材料と、
前記第２の表面の一部を形成する第２の不織布材料と、
前記第１の不織布材料と前記第２の不織布材料との間に少なくとも部分的に位置付けられた弾性材料と、を含む、請求項１〜９のいずれか一項に記載の吸収性物品。
【請求項１１】
前記一対の股絞りジョイントはそれぞれ、前記バックシートの一部と前記レッグカフの一部との間に位置付けられた結合部を含む、請求項１〜１０のいずれか一項に記載の吸収性物品。
【請求項１２】
前記外側カバー材料又は前記バックシートは、前記第１の腰部領域において第１のグラフィックを含み、前記外側カバー材料又は前記バックシートは、前記第２の腰部領域において第２のグラフィックを含み、前記第１のグラフィック及び前記第２のグラフィックは、介護者に対して前記吸収性物品の可逆性を示すために、前記横方向中心軸線に対して互いの鏡像である、請求項１〜１１のいずれか一項に記載の吸収性物品。
【請求項１３】
前記湿りガードは、別個の構成要素であり、第１の湿りガードの第１の部分は、前記吸収性物品の前記第１の端縁部に近接する前記レッグカフ及び／又は前記トップシートに接合され、前記第１の湿りガードの第２の部分は、前記吸収性物品の前記第１の側縁部に近接する前記レッグカフ及び／又は前記トップシートに接合され、前記第１の湿りガードの第３の部分は、前記吸収性物品の第２の側縁部に近接する前記レッグカフ及び／又は前記トップシートに接合されている、請求項１〜１２のいずれか一項に記載の吸収性物品。
【請求項１４】
前記第１の湿りガードは、前記吸収性物品の前記第１の端縁部に近接して位置付けられた第１の端部を有し、前記第１の湿りガードは、前記吸収性物品の前記第１の端縁部と前記横方向中心軸線との中間に位置付けられた第２の端部を有し、前記第１の湿りガードの前記第２の端部の少なくとも一部は、前記トップシートに取り付けられていない、請求項１〜１３のいずれか一項に記載の吸収性物品。
【請求項１５】
請求項１〜１４のいずれか一項に記載の吸収性物品と、
前記吸収性物品の前記着用者対向面に位置付けられるように構成されたインサートであって、前記インサートは、縁部から延在する把持タブを含む、インサートと、を備える、キット。
【請求項１６】
請求項１〜１４のいずれか一項に記載の吸収性物品を複数含むパッケージ。
【発明の詳細な説明】
【技術分野】
【０００１】
本開示は、構成可能な吸収性物品を対象とする。
【背景技術】
【０００２】
吸収性物品は、乳児、子供、及び成人における排泄物（例えば、尿、排便）を含有させるために使用される。吸収性物品は、乳児、未熟児、及び／又は新生児薬物離脱症候群（「ＮＡＳ」）の乳幼児におむつを着けるために病院で使用することができる。未熟児、ＮＡＳの乳幼児、又は他の小さな乳児は、看護者及び他の病院スタッフによる特別なケアを必要とする場合がある。これらの乳幼児は、多くの場合、換気装置、栄養管、又は他の生命維持システム若しくは監視システムと繋がっている。場合によっては、乳幼児は、アイソレットとしても知られているインキュベータ内に位置付けられている場合がある。乳幼児は、典型的には、保護を必要とする非常に繊細な皮膚を有するために、高湿度、無菌環境に保たれている。これらの未熟児の健康に対して、触れられ過ぎず、高度な無菌環境において維持されていることが重要である。乳幼児に触れ過ぎると、ストレスを生じさせる場合がある。未熟児又はＮＡＳの乳幼児のための現在の吸収性物品は、使用が多少困難であり、超未熟児にとって、特に股部領域において大き過ぎる。現在の吸収性物品が、横方向軸線を中心に折り畳まれると、典型的には、矩形又は略矩形形状をとり、これにより、広い股部領域を提供している。また、未熟児及びＮＡＳの乳幼児のための現在の吸収性物品は、排泄物の優れた収容及び排泄物からの皮膚の保護を提供していない。更に、現在の吸収性物品は、未熟児又はＮＡＳの乳幼児の介護者が有益であると考えることができる特徴のすべてを提供しているわけではない。
【発明の概要】
【発明が解決しようとする課題】
【０００３】
このように、未熟児、ＮＡＳの乳幼児、その他の乳幼児、その他の着用者のための吸収性物品を改善する必要がある。
【課題を解決するための手段】
【０００４】
本開示は、未熟児及びＮＡＳの乳幼児（及び他の小さい乳幼児、他の乳幼児、又は他の着用者）に好適な、構成可能な吸収性物品を提供する一方、本開示は、任意の特定のサイズ又は使用に限定されない。上述したように、現在の吸収性物品に関する１つの問題は、吸収性物品が未熟児又はＮＡＳの乳幼児の特定のニーズに対して構成されておらず、場合によっては、看護者の所望以上にこれらの乳幼児に触れるように看護者を強制していることである。本開示の構成可能な吸収性物品は、例えば、非常に狭い股部領域、狭い脚周り領域、小さな全体寸法、柔軟な皮膚接触面、（可逆性吸収性物品を生成するためのいくつかの形態では）前後臍帯切り欠き部、（可逆性吸収性物品を生成するためのいくつかの形態では）前後可逆性臍帯突起部、（看護者が必要に応じて吸収性物品を構成し、締着可撓性を有することができる）別個の取り外し可能な締着部材、１つ以上の湿りガード、並びに／又は低不透明性外側カバー不織布及び／若しくはバックシートを提供することによって、現在の未熟児及び／又はＮＡＳの乳幼児用の吸収性物品の不利益を解決する。別個の取り外し可能な締着部材は、締着部材の中にスロット又は開口部が形成されていてもよく、未熟児又はＮＡＳの乳幼児の健康を補助又は監視するために使用される管又はホースを、乳幼児を煩わせることなく、又は乳幼児を移動させる必要なく、スロット又は開口部を通って挿入することができる。これらのスロット又は開口部はまた、管又はホースを適所に保持するよう援助することができる。低不透明性バックシート及び／又は外側カバー不織布材料は、乳幼児を移動させる必要なしに、いつ吸収性物品を交換する必要があるかを識別するのに有益であり得る。いくつかの形態では、本開示の構成可能な吸収性物品は、別個の取り外し可能な締着部材により、一切締着部材がなくても使用が可能であり得る。これは、場合によっては、看護者により所望され得、乳幼児に触れるか又は乳幼児を移動させる必要性が減少され得る。更に、本開示の吸収性物品は、看護者が所望どおりに又は必要に応じて、吸収性物品を適用することができるように可逆性であってもよい。吸収性物品の吸収性コアにおける吸収性材料は、可逆的使用を可能にするために均質であってもよい。更に、吸収性コアは、股部領域を狭め、更に多くの適合のための選択肢及び脚の置き場を提供することを援助するように、延在した砂時計形状を有してもよい。
【０００５】
本開示の吸収性物品は、１つ以上の湿りガードを備えていてもよい。湿りガードは、フィルム又は不織布材料のような１種以上の液体不透過性材料と、１種以上の不織性材料のような１種以上の非フィルム材料と、を含んでもよい。湿りガードは、乳幼児の腰背部、腰、及び／又は脚に接触する吸収性物品の領域内に位置付けられてもよいが、乳幼児の股領域が吸収性物品に接触する場所には位置付けることはできない。快適性を提供するように、非フィルム材料を乳幼児の方へ向けながら、液体不透過性材料を乳幼児から離れる方向に向けてもよい。湿りガードは、少なくとも２つの機能を遂行することができる。第１に、乳幼児が排尿すると、尿は、典型的には、吸収性コアへの進入点から離れる方向に（横方向及び長手方向の両方に）吸収性コア全体にわたって運ばれる。これにより、乳幼児の腰背部、腰、及び／又は脚が濡れる吸収パッドの領域が生じ得る。湿りガードは、湿潤領域と、乳幼児の腰背部、腰、及び／又は脚との間にバリアを提供し、これにより、乳幼児の改善された皮膚の健康がもたらされる。第２に、湿りガードは、乳幼児の皮膚に面する柔軟な非フィルム材料を含むことができる。このようにして、乳幼児の腰背部、腰、及び／又は脚は、柔軟で快適な材料の上に据えられ、再び、改善された皮膚の健康をもたらすことができる。
【０００６】
本開示の構成可能な吸収性物品のこれらの利点及びその他の利点は、本明細書においてより詳細に記載されている。
【０００７】
本開示は、横方向中心軸線と、長手方向中心軸線と、第１の端縁部と、第１の端縁部に対向する第２の端縁部と、第１の側縁部と、第１の側縁部に対向する第２の側縁部と、横方向中心軸線の第１の側の第１の腰部領域と、横方向中心軸線の第２の側の第２の腰部領域と、第１の腰部領域と第２の腰部領域との中間に延在し、横方向中心軸線と交差する、股部領域と、を備える、吸収性物品に部分的に関する。吸収性物品は、液体透過性の、有孔又は無孔トップシートを備える。トップシートは、疎水性又は親水性であってもよく、あるいは親水性部分若しくは疎水性部分又は親水性層若しくは疎水性層を有していてもよい。吸収性物品は、液体不透過性バックシートと、捕捉材料と、捕捉材料と液体不透過性バックシートとの中間に少なくとも部分的に位置付けられた吸収性コアと、を備える。吸収性コアは、吸収性材料を含む。吸収性材料は、第１の腰部領域において、横方向中心軸線に対して平行な方向に、第１の幅を有することができる。吸収性材料は、第２の腰部領域において、横方向軸線に対して平行な方向に、第２の幅を有することができる。吸収性材料は、股部領域において、横方向軸線に対して平行な方向に、第３の幅を有することができる。第１の幅及び第２の幅は、第３の幅より大きくてもよく、第１の幅及び第２の幅は、同じであるか、実質的に同じであるか、又は異なっていてもよい。吸収性物品は、第１の側縁部及び第２の側縁部に近接して位置付けられた一対のレッグカフを備える。吸収性物品は、第１の腰部領域に第１の湿りガードを備える。第１の湿りガードは、トップシートと対向する関係にある、第１の液体不透過性材料と、吸収性物品の着用者対向面の第１の部分を形成する第２の液体透過性材料と、を含んでもよい。吸収性物品は、第２の腰部領域に第２の湿りガードを備えてもよい。第２の湿りガードは、トップシートと対向する関係にある、第３の液体不透過性材料と、吸収性物品の着用者対向面の第２の部分を形成する第４の液体透過性材料と、を含んでもよい。吸収性物品は、取り外し可能な締着部材を備え、取り外し可能な締着部材は、第１の表面と、第１の表面の反対側の第２の表面と、第１の端部と、第１の端部の反対側の第２の端部と、第１の表面に複数の第１のフックを含み、第１の端部に近接して位置付けられた、第１の締着部と、第１の表面に複数の第２のフックを含み、第２の端部に近接して位置付けられた、第２の締着部と、を含んでもよい。
【０００８】
本開示は、横方向中心軸線と、長手方向中心軸線と、第１の端縁部と、第１の端縁部に対向する第２の端縁部と、第１の側縁部と、第１の側縁部に対向する第２の側縁部と、横方向中心軸線の第１の側の第１の腰部領域と、横方向中心軸線の第２の側の第２の腰部領域と、第１の腰部領域と第２の腰部領域との中間に延在し、横方向中心軸線と交差する、股部領域と、を備える、吸収性物品に部分的に関する。吸収性物品は、液体透過性トップシートと、液体不透過性バックシートと、トップシートと液体不透過性バックシートとの中間に少なくとも部分的に位置付けられた吸収性コアと、を備える。吸収性コアは、吸収性材料を含む。吸収性材料は、第１の腰部領域において、横方向中心軸線に対して平行な方向に、第１の幅を有することができる。吸収性材料は、第２の腰部領域において、横方向軸線に対して平行な方向に、第２の幅を有することができる。吸収性材料は、股部領域において、横方向軸線に対して平行な方向に、第３の幅を有することができる。第１の幅及び第２の幅は、第３の幅より大きくてもよい。第１の幅及び第２の幅は、同じであるか、実質的に同じであるか、又は異なっていてもよい。吸収性物品は、第１の側縁部及び第２の側縁部に近接して位置付けられた一対のレッグカフと、第１の腰部領域における第１の湿りガードと、を備える。第１の湿りガードは、トップシートと対向する関係にある、第１の液体不透過性材料と、吸収性物品の着用者対向面の第１の部分を形成する第２の液体透過性材料と、を含んでもよい。吸収性物品は、第２の腰部領域に第２の湿りガードを備えてもよい。第２の湿りガードは、トップシートと対向する関係にある、第３の液体不透過性材料と、吸収性物品の着用者対向面の第２の部分を形成する第４の液体透過性材料と、を含んでもよい。吸収性物品は、取り外し可能な締着部材を含み、取り外し可能な締着部材は、第１の表面と、第１の表面と反対側の第２の表面と、第１の端部と、第１の端部と反対側の第２の端部と、第１の表面に複数の第１のフックを含み、第１の端部に近接して位置付けられた、第１の締着部と、第１の表面に複数の第２のフックを含み、第２の端部に近接して位置付けられた、第２の締着部と、を含んでもよい。
【０００９】
本開示は、横方向中心軸線と、長手方向中心軸線と、第１の端縁部と、第１の端縁部に対向する第２の端縁部と、第１の側縁部と、第１の側縁部に対向する第２の側縁部と、横方向中心軸線の第１の側の第１の腰部領域と、横方向中心軸線の第２の側の第２の腰部領域と、第１の腰部領域と第２の腰部領域との中間に延在し、横方向中心軸線と交差する、股部領域と、を備える、吸収性物品に部分的に関する。吸収性物品は、液体透過性の、有孔又は無孔トップシートを備え得る。トップシートは、疎水性又は親水性であってもよく、あるいは疎水性部分若しくは親水性部分又は疎水性層若しくは親水性層を有していてもよい。吸収性物品は、液体不透過性バックシートと、捕捉材料と、捕捉材料と液体不透過性バックシートとの中間に少なくとも部分的に位置付けられた吸収性コアと、を備えてもよい。吸収性コアは、吸収性材料を含む。吸収性材料は、第１の腰部領域において、横方向中心軸線に対して平行な方向に、第１の幅を有することができる。吸収性材料は、第２の腰部領域において、横方向軸線に対して平行な方向に、第２の幅を有することができる。吸収性材料は、股部領域において、横方向軸線に対して平行な方向に、第３の幅を有することができる。第１の幅及び第２の幅は、第３の幅より大きくてもよい。第１の幅及び第２の幅は、同じであるか、実質的に同じであるか、又は異なっていてもよい。吸収性物品は、第１の側縁部及び第２の側縁部にそれぞれ近接して位置付けられた一対のレッグカフと、第１の腰部領域における第１の湿りガードと、を備える。第１の湿りガードは、トップシートと対向する関係にある、第１の液体不透過性材料と、吸収性物品の着用者対向面の第１の部分を形成する第２の液体透過性材料と、を含んでもよい。吸収性物品は、第２の腰部領域に第２の湿りガードを備えてもよい。第２の湿りガードは、トップシートと対向する関係にある、第３の液体不透過性材料と、吸収性物品の着用者対向面の第２の部分を形成する第４の液体透過性材料と、を含んでもよい。第１の湿りガードは、吸収性コアの第１の部分に重なり、第２の湿りガードは、吸収性コアの第２の、異なる部分に重なる。第１の湿りガードは、トップシートの第１の部分及び／又はレッグカフの第１の部分に接合される別個の構成要素であってもよい。第２の湿りガードは、トップシートの第２の部分及び／又はレッグカフの第２の部分に接合される別個の構成要素であってもよい。吸収性物品は、取り外し可能な締着部材を含み、取り外し可能な締着部材は、第１の表面と、第１の表面と反対側の第２の表面と、第１の端部と、第１の端部と反対側の第２の端部と、第１の表面に複数の第１のフックを含み、第１の端部に近接して位置付けられた、第１の締着部と、第１の表面に複数の第２のフックを含み、第２の端部に近接して位置付けられた、第２の締着部と、を含んでもよい。吸収性物品は、バックシートの非吸収性コア対向側に結合された外側カバー材料を備える。外側カバー材料又はバックシートは、第１の腰部領域に第１のグラフィックを含んでもよい。外側カバー材料又はバックシートは、第２の腰部領域に第２のグラフィックを含んでもよい。第２のグラフィックは、介護者に対して吸収性物品の可逆性を示すように、長手方向中心軸線に対して第１のグラフィックの鏡像であってもよい。
【００１０】
多様な吸収性物品は、パッケージ内に配置されていてもよい。パッケージは、アレイ又はオンラインアレイ（on-line array）において販売されてもよい。
【図面の簡単な説明】
【００１１】
本明細書は、本発明を構成すると見なされる主題を具体的に指摘しかつ明確に主張する特許請求の範囲を結論とするが、本発明は、添付の図面と関連してなされた以下の説明によって更に理解されると考えられ、添付の図面において参照符号が、実質的に同一の要素を示すために用いられている。
【図１】本開示の例示的な吸収性の平面図である。
【図２】着用者対向面を観者に向けた状態の、本開示の例示的な吸収性物品の平面図である。
【図３】衣類対向面を観者に向けた状態の、図２の吸収性物品の平面図である。
【図４】線４−４を中心に得られた図２の吸収性物品の断面図である。
【図５】延在した砂時計形状を有する、本開示の吸収性物品のための例示的な吸収性コアの平面図である。
【図６】着用者対向面を観者に向けた状態の、本開示の別の吸収性物品の平面図である。
【図７】本開示の別個の締着部材を備える例示的な吸収性物品の左側面図である。
【図８】別個の締着部材を含まない、本開示の例示的な吸収性物品の別の左側面図である。
【図９】股部狭窄接合部によって作られた股部の折り目を含む、本開示の例示的な吸収性物品の斜視図である。
【図９Ａ】本開示の例示的な吸収性の平面図である。
【図１０】股切り欠き部を示す本開示の例示的な吸収性物品の平面図である。
【図１１】着用者対向面を観者に向けた状態であり、２つの湿りガードを含む、本開示の例示的な吸収性物品の平面図である。
【図１２】着用者対向面を観者に向けた状態であり、湿りガードを示す、本開示の例示的な吸収性物品の斜視図である。
【図１３】着用者対向面を観者に向けた状態であり、２つの湿りガードの構成を示す、本開示の例示的な吸収性物品の平面図である。
【図１４】着用者対向面を観者に向けた状態であり、２つの湿りガードの構成を示す、本開示の例示的な吸収性物品の平面図である。
【図１５】図１４の吸収性物品と共に使用するための例示的な別個の湿りガードの平面図である。
【図１６】着用者対向面を観者に向けた状態であり、２つの湿りガードの構成を示す、本開示の例示的な吸収性物品の平面図である。
【図１７】図１６のスリーブタイプの湿りガードが、吸収性物品の一部を取り囲む方法の模式図である。
【図１８】衣類対向面を観者に向けた状態の、本開示の吸収性物品のための別個の締着部材の一例の平面図である。
【図１９】着用者対向面を観者に向けた状態の、本開示の吸収性物品のための別個の締着部材の一例の平面図である。
【図２０】図１９の線２０−２０を中心に得られた別個の締着部材の断面図である。
【図２１】衣類対向面を観者に向けた状態の、本開示の吸収性物品のための別個の締着部材の一例の平面図である。
【図２２】着用者対向面を観者に向けた状態の、本開示の吸収性物品のための別個の締着部材の一例の平面図である。
【図２３】臍帯切り欠き部を有する、本開示の例示的な吸収性物品の平面図である。
【図２４】衣類対向面を観者に向けた状態の、図２３の例示的な吸収性物品の平面図である。
【図２５】臍帯突起部を有する、本開示の例示的な吸収性物品の平面図である。
【図２６】衣類対向面を観者に向けた状態の、図２５の例示的な吸収性物品の平面図である。
【図２７】衣類対向面を観者に向けた状態の、グラフィック及び／又は印を示す吸収性物品の模式図である。
【図２８】衣類対向面を観者に向けた状態の、グラフィック及び／又は印を示す吸収性物品の模式図である。
【図２９】衣類対向面を観者に向けた状態の、グラフィック及び／又は印を示す吸収性物品の模式図である。
【図３０】吸収性物品の着用者対向面に位置付けられたインサートの一例の平面図である。
【図３１】吸収性物品と共に使用するための例示的なインサートの平面図である。
【図３２】図３１の線３２−３２を中心に得られたインサートの断面例示図である。
【図３２Ａ】図３１の線３２Ａ−３２Ａを中心に得られたインサートの他の断面例示図である。
【図３３】吸収性物品と共に使用するためのインサートの別の例の平面図である。
【図３４】吸収性物品と共に使用するための別の例示的なインサートの平面図である。
【図３５】着用者対向面を観者に向けた状態の、例示的な吸収性物品の平面図である。
【図３６】例示的な吸収性物品の斜視側面の写真である。
【図３７】着用者対向面を観者に向けた状態の、例示的な吸収性物品の平面図である。
【図３８】例示的な吸収性物品の前側斜視図である。
【図３９】例示的な吸収性物品の側面斜視図である。
【図４０】着用者対向面を観者に向けた状態の、例示的な吸収性物品の平面図である。
【図４１】着用者対向面を観者に向けた状態の、例示的な吸収性物品の平面図である。
【図４２】カフを折り重ね、着用者対向面が吸収性物品が据えられている表面から離れる方向にある状態の吸収性物品の斜視の写真である。
【図４３】カフを折り重ねた吸収性物品の平面図である。
【図４４】カフが長手方向軸線に向かって折られる前の吸収性物品の例示的な断面図である。
【図４５】任意のタックダウン結合が施される前の、図４３の吸収性物品の例示的な端面図である。
【図４６】吸収性物品の吸収性コアの例示的な平面図である。
【図４７】吸収性物品の吸収性コアの例示的な平面図である。
【図４８】股部圧縮力測定試験で使用される器具の平面図である。
【図４９】股部圧縮力測定試験で使用される器具の側面図である。
【発明を実施するための形態】
【００１２】
本明細書で開示される構成可能な吸収性物品の構造、機能、製造、及び使用の原理の総合的な理解を提供するために、ここで、本開示の様々な非限定的形態が説明される。これらの非限定的な形態の１つ以上の実施例を添付の図面に示す。当業者であれば、本明細書において具体的に記載され、かつ添付の図面で例示される構成可能な吸収性物品は、非限定的な例示的形態であり、本開示の種々の非限定的な形態の範囲は、特許請求の範囲によってのみ定義されることを理解するであろう。１つの非限定的な形態に関して図示又は説明される特徴は、他の非限定的な形態の特徴と組み合わせることができる。そのような修正及び変形は、本開示の範囲内に含まれるものとする。
【００１３】
本明細書で使用するとき、「接合」及び「接合した」という用語は、ある要素を他の要素に直接付着することによって、その要素が別の要素に直接固着される構成、及び、ある要素を中間部材（複数を含む）に付着して、その中間部材を他の要素に付着することによってその要素が別の要素に間接的に固着される構成を包含する。
【００１４】
本明細書で使用するとき、「アレイ（array）」という用語は、同様の物品構造を有するサイズの異なる使い捨て吸収性物品を含むパッケージのディスプレイを意味する。吸収性物品のためのパッケージは、同一のブランド及び／又はサブブランドを有し、小売店の所定のエリアにおいて互いに近接して配向される。アレイは、顧客に、異なる個々のパッケージがより大規模なラインナップの一部分であることを伝える類似のパッケージ要素（例えば、パッケージの材料種類、フィルム、紙、主要色、デザインテーマなど）を通常有する製品ラインアップとして市販されている。アレイは、多くの場合、例えば「Ｐａｍｐｅｒｓ（登録商標）」などの同一のブランドを有する。他の例では、アレイは、例えば、「Ｐａｍｐｅｒｓ（登録商標）」及び「Ｌｕｖｓ（登録商標）」などの同一の製造者からのブランドを有することができる。
【００１５】
アレイは、ラインアップにわたって、ブランド、サブブランド、並びに／又は特徴及び／若しくは有益性の商標を含む同じ商標を有することも多い。
【００１６】
本明細書で使用するとき、「オンラインアレイ」という用語は、共通のオンラインソースによって分配された「アレイ」を意味する。
【００１７】
未熟児、ＮＡＳの乳幼児、及びその他の乳幼児（又は他の着用者）に対して、改良されたフィット性と、より柔軟な適用の選択肢と、狭い股部領域と、排泄物の収容と、改善された皮膚の健康と、を提供する構成可能な吸収性物品が本明細書において提供される。図１は、第１の腰部領域すなわち前側腰部領域の衣類対向面を観者に向けた状態の、横方向軸線を中心に折られた吸収性物品１０の平面図である。図２は、着用者対向面を観者に向けた状態の、弾性体が延在し、吸収性物品１０が平坦に置かれた、図１の吸収性物品１０の平面図である。図３は、衣類対向面を観者に向けた状態の、弾性体が延在し、吸収性物品１０が平坦に置かれた、図２の吸収性物品１０の平面図である。図４は、線４−４を中心に得られた図２の吸収性物品１０の断面図である。吸収性物品１０は、横方向軸線１２と、長手方向軸線１４と、第１の腰部領域すなわち前側腰部領域１６と、第２の腰部領域すなわち後側腰部領域１８と、股部領域２０と、を備えてもよい。可逆性の吸収性物品において、吸収性物品は、いずれの方向にも適用することができるため、特許請求の範囲において「第１の」及び「第２の」腰部領域１６及び１８と称され得る。吸収性物品１０は、第１の湿りガード２２及び第２の湿りガード２４を有してもよい。場合によっては、本開示の吸収性物品には、１つの湿りガードのみが設けられてもよい。単一の湿りガードは、吸収性物品１０の横方向軸線１２のいずれか一方の側に設けられていてもよい。吸収性物品１０はまた、吸収性コアによって吸収されることができるように、排泄物を収容するためのカフ２６又は隆起バリアを備えることができる。
【００１８】
吸収性物品１０は、横方向軸線１２の第１の側における第１の端縁部２８と、横方向軸線１２の第２の側における第２の端縁部３０と、を備えることができる。吸収性物品１０は、長手方向中心軸線１４の第１の側における第１の側縁部３２と、長手方向中心軸線１４の第２の側における第２の側縁部３４と、を備えることができる。吸収性物品１０は、液体透過性材料すなわち液体透過性トップシート３６と、液体不透過性材料すなわち液体不透過性バックシート３８と、トップシート３６とバックシート３８との中間に少なくとも部分的に位置付けられた吸収性コア４０と、を備え得る。
【００１９】
トップシート３６、バックシート３８、及び吸収性コア４０は、任意の好適な材料で製造され得る。好適なトップシートの材料としては、多孔質発泡体、網状発泡体、有孔プラスチックフィルム、又は天然繊維（例えば、木材若しくは綿繊維）の織布ウェブ若しくは不織布ウェブ、合成繊維（例えば、ポリエステル若しくはポリプロピレン繊維）、無孔材料、有孔材料、有孔不織布材料、オーバーボンド（overbonding）及びリングロール（ring rolling）プロセスを使って製造される有孔不織布材料、又は天然繊維及び合成繊維の組み合わせを有する材料が挙げられる。有孔又は無孔に関わらず、スパンボンド高ロフト材料が使用されてもよい。トップシート３６は、有孔と共に又は有孔の代わりにのいずれか一方で、エンボス模様、グラフィック、模様、印、及び／又は三次元的形体を有してもよい。場合によっては、トップシート３６は、平面的なトップシートであってもよい。他の例では、トップシートは、２０１５年３月２日出願のＩｓｅｌｅ  ｅｔ  ａｌ．に対する米国特許出願公開第２０１５／０２５０６６２号又は２０１５年１１月５日出願のＡｒｏｒａ  ｅｔ  ａｌ．に対する米国特許出願公開第２０１６／０１３６０１４号に開示されたようなトップシートであってもよい。トップシートは、疎水性であっても親水性であってもよい。トップシートが有孔である場合、トップシートが疎水性であることが所望され得る。
【００２０】
好適なバックシートの材料としては、蒸気が吸収性物品１０から逃れるのを可能にするが、同時に排泄物がバックシート３４を通過することを防止するか、あるいは少なくとも妨げる通気性材料又は高通気性材料を挙げることができる（すなわち、液体不透過性材料）。このような材料としては、不織布材料、織布材料、フィルム、及び／又はこれらの材料のうちの１つ以上の組み合わせを含む積層体を挙げることができる。他のバックシートの材料としては、例えば、フィルムのような非通気性材料を挙げることができる。
【００２１】
バックシート又はバックシート／外側カバー不織布材料積層体の通気性の尺度は、バックシート又は積層体の湿気透過速度（ＭＶＴＲ）によって反映された、水蒸気の流路に対するバックシート又は積層体の透過性である。積層体又はバックシートのＭＶＴＲは、約５００ｇ／ｍ２／２４ｈｒ〜約５０００ｇ／ｍ２／２４ｈｒ、約１０００ｇ／ｍ２／２４ｈｒ〜４０００ｇ／ｍ２／２４ｈｒ、又は約２０００ｇ／ｍ２／２４ｈｒ〜約３０００ｇ／ｍ２／２４ｈｒの範囲内であってもよく、具体的には、上記の参照範囲内及び参照範囲内に又は参照範囲により形成された全範囲内の０．１ｇ／ｍ２／２４ｈｒ増分がすべて挙げられる。
【００２２】
ＭＶＴＲは、容器口の周りに外方向に延びるフランジを有する非多孔性の上部開放容器（図示せず）内に、ある量の塩化カルシウムのような親水性材料を投入することによって判定することができる。ＭＶＴＲが判定される材料の一部分を、容器の開口に対して重なる関係に配置し、容器の開口端を完全に覆うように容器のフランジに接触させる。次いで、環状ガスケット及び環状止め輪を被試験材料上に載置し、任意の都合のよいクランプ構成によって容器フランジに対して確実にクランプして、被試験材料を通って空気又は水蒸気の透過のみを生じさせることができるように、容器開口部の周囲を緊密かつ完全に封止する。次いで、得られたアセンブリを計量して、容器及び容器の内容物の初期重量を測定する。
【００２３】
初期重量が測定された後、アセンブリは、一定の温度（４０℃）及び一定の湿度（相対湿度７５％）を有するチャンバ内に配置される。容器は、これらの大気条件下で、５時間維持され、その後、チャンバから取り外され、不透過性フィルムで緊密に覆われて、容器内外への水分の移行を防止し、重量バランスが位置する周囲大気と熱平衡に達することができる。熱平衡が約３０分以内に達成され、その後、容器からフィルムの覆いが除去され、再び計量されて、容器と容器の内容物の最終重量が測定される。
【００２４】
ＭＶＴＲは、ＭＶＴＲをｇ／ｍ２／２４ｈｒ単位で提供する次式により算出される。
【００２５】
【数１】
2019505337.tif 000003
【００２６】
本開示の吸収性物品１０において使用するための好適な吸収性コア４０は、一般に、圧縮可能、形状適合可能、着用者の皮膚に対して非刺激性、かつ排泄物を吸収及び保持可能である任意の吸収性材料４２を含んでもよい。加えて、吸収性コア４０の構成及び構造はまた、多様であってもよい（例えば、吸収性コア（単数若しくは複数）又はその他の吸収性構造（単数若しくは複数）は、様々なキャリパーゾーン、親水性勾配（単数若しくは複数）、超吸収性勾配（単数若しくは複数）、又は低めの平均密度及び低めの平均坪量捕捉帯を有してもよく、又は１つ以上の層若しくは構造を含んでもよい）。他の例では、吸収性コア４０の構成及び構造は、均一かつ均質であってもよく、吸収性物品１０は、可逆性であってもよい。かかる例では、吸収性材料４２は、均一かつ均質であってもよい（すなわち、様々な特性を示す範囲がない（not profiled））。いくつかの形態では、吸収性コア４０は、例えば、砂時計形状、延在した砂時計形状、又は矩形形状を有することができる。図５は、延在する（長手方向軸線１４を中心に延在する）砂時計形状を有する例示的な吸収性コア４０の平面図である。一例では、吸収性材料４２は、砂時計形状であってもよく、吸収性コア４０は、矩形であってもよい（すなわち、コアバッグは矩形であり、吸収性材料４２は砂時計形状である）。吸収性材料４２及び／又は吸収性コア４０の全体として（コアバッグを含む）、第１の腰部領域１６において横方向軸線１２に平行な方向に第１の幅を有してもよく、第２の腰部領域１８において横方向軸線１２に平行な方向に第２の幅を有してもよく、股部領域２０において横方向軸線１２に平行な方向に第３の幅を有してもよい。第１の幅及び第２の幅は、第３の幅よりも大きくてもよい。第１の幅及び第２の幅は、同じであるか、実質的に同じであるか、又は異なっていてもよい。場合によっては、吸収性材料４２は、その後、矩形のコアバッグによって取り囲まれる図５に示す形状を有していてもよい。
【００２７】
吸収性材料４２は、超吸収性ポリマー、共成形体（co-form）、発泡体（高内相エマルション発泡体を含むが、これらに限定されない）、エアフェルト（セルロース材料）、又はこれらの混合物を含むことができる。いくつかの形態では、吸収性材料４２は、吸収性材料の重量に対し、３０％未満、３５％未満、４０％未満、少なくとも４０％、少なくとも５０％、少なくとも７５％、少なくとも８０％、少なくとも８５％、少なくとも９０％、少なくとも９５％、少なくとも９７％、少なくとも９８％、少なくとも９９％、又は１００％の超吸収性ポリマーを含むことができる。他の形態では、吸収性材料４２は、エアフェルトのみを含んでいてもよく、超吸収性ポリマーを一切含まないか、又は実質的に含まなくてもよい（例えば、吸収性材料の５重量％未満）。吸収性材料４２は、エアフェルトを有し、１５％未満の超吸収性ポリマー、１０％未満の超吸収性ポリマー、５％未満の超吸収性ポリマー、３％未満の超吸収性ポリマー、又は１％未満の超吸収性ポリマーを有することができる。他の態様では、吸収性材料４２は、超吸収性ポリマーとエアフェルトの混合物（例えば、３０％〜７０％のエアフェルト及び３０％〜７０％の超吸収性ポリマー）を含むことができる。
【００２８】
図４を参照して、吸収性材料４２は、コアバッグ４４内に囲み込まれていてもよい。コアバッグ４４は、少なくとも部分的に吸収性材料４２の第１の側にある第１の基材４６と、少なくとも部分的に吸収性材料４２の第２の側にある第２の基材４８と、を含むことができる。第１の基材４６は、吸収性材料４２及び第２の材料４８の部分の周りにＣ字形状巻き付き部を形成して、吸収性材料４２を囲い込むことができる。他の例では、コア巻き付き部は、当業者に既知の任意の好適な構成を有することができる。いくつかの形態では、吸収性コア４０は、１つ以上の吸収性材料非含有領域若しくはチャネル、又は実質的な吸収性材料非含有領域（例えば、実質的に超吸収性ポリマー又はエアフェルトを含まない領域）を含むことができる。この例では、第１の基材４６は、これらの領域又はチャネルにおいて第２の基材４８に接合、結合、又は接着されてもよい。他の形態では、チャネルは、吸収性コア４０の中にエンボス加工されてもよい。いくつかの例示的なチャネル及び吸収性コアの構成は、更に詳細には、米国特許第８，９７９，８１５号、同第９，２１６，１１８号、及び同第９，２１６，１１６号において記載されている。
【００２９】
図２及び図４を参照して、吸収性物品１０は、１つ以上の捕捉材料５０を含むことができる。吸収性物品１０はまた、トップシート３２と捕捉材料５０との間、又は捕捉材料５０とコアバッグ４４との間のいずれか一方に１種以上の任意選択的な分配材料５１（図４）を含むことができる。場合によっては、捕捉材料５０及び／又は分配材料５１は、コアバッグ４４の全幅及び／又は全長だけ延在してもよい。他の例では、捕捉材料５０及び／又は分配材料５１は、コアバッグ４４の全幅及び／又は全長よりも短く延在してもよい。捕捉材料５０又は分配材料５１は、例えば、矩形形状、砂時計形状、又は延在した砂時計形状を有することができる。捕捉材料５０を使用して、排泄物の補足及び排泄物の吸収性コア４０内への移動に際し、トップシート３６を補助することができる。分配材料５１は、提供される場合、吸収性物品１０が吸収性コア４０の上に排泄物を分配することを助けることができる。一例として、捕捉材料は、不織布材料であってもよく、分配材料は、例えば、架橋セルロース繊維、ティッシュ、又は他の不織布材料であってもよい。場合によっては、特定の吸収性物品の所望の特性に応じて、捕捉材料だけが提供されてもよく、分配だけが提供されてもよく、あるいはいずれも提供されなくてもよい。
【００３０】
図２〜図４を参照して、一対のカフ２６は、第１の端縁部２８と第２の端縁部３０との間に少なくとも部分的に又は完全に延在することができる。カフ２６は、１つ以上の弾性体５２を有してもよく、あるいは有さなくてもよい。場合によっては、カフ２６は、弾性体５２を有さない場合、トップシート３６に対してじっと立つ（すなわち上方に延在する）ように、吸収性物品１０に接合される前に予歪み状態であってもよい。他の例では、弾性体を含まないカフ２６は、予歪み状態でなくてもよい。場合によっては、股部領域２０の狭幅化を支援することを補助するために、一対のカフのみが設けられてもよい。いくつかの形態では、図６を参照して、第１の対のカフ２６に加えて、第２の対のカフ２７が設けられてもよい。一例では、この第２の対のカフ２７は、弾性体を有さなくてもよく、予歪み状態であってもよく、予歪み状態でなくてもよい。他の例では、カフ２６又は２７のそれぞれは、１つ以上の弾性体５２及び５３を有してもよい。弾性体５２及び／又は５３は、トップシート３６に対してカフを立たせる（すなわち、上方に延在させる）ことができる。弾性体５２及び５３は、長手方向軸線１４に沿う任意の好適な長さであってもよい。一形態において、カフ２６（又は２７）は、それぞれ、（図４ではＦと標識された）長手方向に延在する３つの折り目を有して、カフ２６を立たせ、トップシート３６から好適な距離だけ延在することができる。図４の５４において、カフの糊又は接着が示されている。別の形態では、カフ２６又は２７は、任意の好適な構成を有してもよい。カフは、大略的には、吸収性コア４０の領域への排泄物の収容を補助し、側縁部の漏れを低減させる。カフ２６及び／又は２７の収縮部分及び／又は起立部分は、横方向軸線１２の第１の側又は横方向軸線１４の第２の側でより高くなっていてもよい。他の例では、カフ２６及び／又は２７の収縮部分及び／又は起立部分は、横方向中心軸線１２の両側で同じであってもよい。場合によっては、カフ２６及び／又は２７は、横方向中心軸線１２の両側で同じ距離だけ延在してもよい。場合によっては、吸収性物品１０は、カフを一切備えていなくてもよい。
【００３１】
他の例では、吸収性物品１０は、カフを一切備えていなくてもよく、しかしながら、隆起バリアのいくつかの形態をその代用で使用してもよい。一対の隆起バリアが、トップシート３６に取り付けられてもよく、トップシート３６の下に位置付けられてもよく、あるいはトップシート３６及び／又は捕捉材料若しくは分配材料の一部から形成されてもよい。隆起バリアは、可撓性の発泡体、液体不透過性材料、不織布材料、フィルム、及び／又は他の好適な材料を含むことができる。隆起バリアは、トップシート３６に対して「隆起」していてもよく、カフ２６及び２７と同様の様式で機能することができ、これによって、吸収性コア４０の上に排泄物を保持し続け、排泄物は、吸収性コア４０に吸収されることができる。隆起バリアの厚さは、横方向軸線１２に平行な方向に測定された任意の好適な厚さ、例えば、２ｍｍ〜１０ｍｍであってもよい。場合によっては、１つの隆起バリアを設けてもよく、この単一の隆起バリアは、吸収性コア４０又はその一部を完全に又は部分的に取り囲むことができる。隆起バリアは、例えば、１ｍｍ〜３０ｍｍ又は２ｍｍ〜２０ｍｍの範囲など、トップシート３６から好適な量だけ隆起されて、吸収性物品１０の中に排泄物を収容することができる。例示的な構造及び形状を含む隆起バリアに関する更なる詳細は、Ｇｒｅｅｎｉｎｇ  ＩＩ，ｅｔ  ａｌに対する米国特許出願公開第２０１４／０１７１８９８号に見出すことができる。隆起バリアは、なおより良好な収容のために少なくとも一対のカフと共に使用されてもよい。カフは、隆起バリアの横方向内側又は横方向外側に位置付けることができる。隆起バリア又はカフ２６、２７は、「排泄物収容手段」と称されてもよい。
【００３２】
図１、図３及び図４を参照して、外側カバー不織布材料５８をバックシート３８の非吸収性コア対向側に位置付けてもよい。外側カバー不織布材料５８は、例えば、接着剤５６を用いてバックシート３８に接合されてもよい。外側カバー不織布材料５８は、１層以上で形成されてもよく、典型的には軟質材であってもよい。外側カバー不織布材料５８は、より消費者に外観の興味をそそるように、あるいはその他の理由のために、複数の結合部、エンボス加工、又は三次元の形体を含んでもよい。
【００３３】
図７は、締着部材１００を有する図１の吸収性物品の側面図である。図８は、締着部材１００を有さない図１の吸収性物品の側面図である。図９は、衣類対向面を観者に向けた状態の、図１の吸収性物品の斜視図である。
【００３４】
図２、図３、及び図６〜図９を参照して、本開示の吸収性物品１０は、股部領域２０において、一対の股部狭窄接合部６０を備えていてもよい。他の形態では、股部領域２０の片側のみが、股部狭窄接合部６０を含んでもよい。股部狭窄接合部６０は、外側カバー不織布材料５８の着用者対向部分又はカフ２６（第２の組のカフが設けられている場合）若しくは２７の着用者対向部分が、カフ２６（第２の組のカフが設けられている場合）若しくは２７の起立部分若しくは他の部分、又はトップシート３６の一部に接合されている場合に生成されていてもよい。接合部は、接着剤結合、機械的結合、熱結合、及び／又は任意の他の好適なタイプの結合又は接合であってもよい。他の例では、股部狭窄接合部６０は、バックシート３８の着用者対向部分（又はバックシート３８及び外側カバー不織布材料５８を含む積層体）を、カフ２６若しくは２７の一部又はトップシート３６の一部に接合することによって形成することができる。いずれの場合も、外側カバー不織布材料５８の、第１の側縁部及び第２の側縁部３２及び３４に近接する部分が、カフ２６若しくは２７の一部又はトップシート３６の一部に直接的に又は間接的に接合されていてもよい。これらの股部狭窄接合部６０を設けることにより、吸収性物品１０は、横方向軸線１２において又は横方向軸線１２に近接する、狭い折り畳み股幅（図１の「Ｗ」）を得ることができる。この狭い折り畳み股幅は、多数の理由により、未熟児にとって特に重要であり得る。第１に、小さな乳幼児は、脚の間の空間が少なめである。このように、折り畳み股幅が小さいほど、脚に脚を分離する力を加えることなく吸収性物品をより良好にフィットさせることができる。これにより、脚を、例えば、体の正中線付近などの快適な位置に据えることができる。第２に、典型的なオムツでは、乳幼児の脚の内股領域は、カフ及び／又はバックシートの部分に接触していてもよい。本開示の吸収性物品１０において、乳幼児の内股領域は、カフ２６及び／又は２７の部分及び軟質の外側カバー不織布材料５８の部分と接触していてもよく、これにより、より快適な着用者の経験を提供し、折に触れて、内股の擦傷を低減させる。
【００３５】
図７〜図９を参照して、股部狭窄接合部６０は、カフの弾性体が少なくとも部分的に緩和されたときに、股部領域２０の一部を長手方向軸線１４に向かって内側に折り畳むことにより、股部の折り目６１を生成する。図１を参照して、これらの股部の折り目６１は、狭い折り畳み股幅Ｗを提供する。股部の折り目６１はまた、股部領域２０において、角度が付いた部分６３を有する吸収性物品１０を提供する。角度が付いた部分６３は、横方向軸線１２に対して、約１０度〜約８０度、約１５度〜約７５度、約２０度〜約７０度、約３０度〜約６０度、約４０度〜約６０度の範囲の角度を有していてもよく、具体的には指定した範囲及び範囲内に又は範囲によって形成されるすべての範囲内の０．１度刻みの数値がすべて挙げられる。すべての角度は、本明細書における折り畳み股角度試験に従って測定される。
【００３６】
図５を参照して、股部狭窄接合部６０に加えて、吸収性コア４０は、長手方向軸線１４に平行な方向に伸長された脚切り欠き部６２を有する延在した砂時計形状を有していてもよい。この特徴により、脚（「Ｌ」）が脚切り欠き部６２内の複数の場所に位置付けられ、様々な着用者及び状況に適合することができる。着用者の脚は、例えば、乳幼児のある状況又は位置に適合するように、吸収性コア４０の第１の端縁部４１により近接するか、あるいは第２の端縁部４３により近接するように位置付けられてもよい。上述のように、捕捉材料５０及び／又は分配材料５１は、同様の形状又は異なる形状を有することができる。吸収性コア４０は、約５ｍｍ〜約３００ｍｍ、約１０ｍｍ〜約１００ｍｍ、約１５ｍｍ〜約７５ｍｍ、約１５ｍｍ〜４０ｍｍ、約１５ｍｍ〜２５ｍｍ、又は約２０ｍｍの範囲内の横方向軸線１２’に沿って測定された幅を有してもよく、具体的には指定した範囲及び範囲内に又は範囲によって形成されるすべての範囲内の０．１ｍｍ刻みの数値がすべて挙げられる。吸収性コア４０は、約１５ｍｍ〜約５００ｍｍ、約２０ｍｍ〜約３００ｍｍ、約２５ｍｍ〜約１００ｍｍ、約３０ｍｍ〜約５０ｍｍ、約３５ｍｍ〜約４０ｍｍ、又は約３８ｍｍの範囲の第１の端縁部４１又は第２の端縁部４３のいずれか一方に沿って測定された幅を有してもよく、具体的には指定した範囲及び範囲内に又は範囲によって形成されるすべての範囲内の０．１ｍｍ刻みの数値がすべて挙げられる。
【００３７】
図１０を参照して、いくつかの形態において、股部狭窄接合部が設けられる代わりに、横方向軸線１２に近接した領域における、吸収性物品１０、吸収性物品１０の吸収性コア４０、及び／又は吸収性物品１０のその他の構成要素（例えば、捕捉材料５０）から股部切り欠き部６４が切り出されてもよい。他の形態では、代わりに、股部切り欠き部６４は、製造前又は製造中に吸収性物品の構成要素に形成されてもよい。股部切り欠き部６４は、狭い折り畳み股幅を得るように、任意の好適なサイズ及び形状を有することができる。図１０において、いくつかの例示的な形状が図示されている。股部切り欠き部６４は、例えば、トップシート、バックシート、捕捉材料、外側カバー不織布材料、及び／又はカフの一部に形成することができる。股部切り欠き部６４は、本明細書において開示された砂時計形状又は延在された砂時計形状の吸収性コアと共に使用されてもよい。捕捉材料５０及び／又は分配材料はまた、例えば、砂時計形状であってもよい。股部切り欠き部６４は、吸収性物品の脚周りが砂時計形状になるように切り取られてもよく、あるいは（長手軸長手方向軸線１４に沿って）延在された砂時計形状であってもよい。
【００３８】
股部狭窄接合部６０は、任意選択的な形体であってもよい。場合によっては、股部狭窄接合部６０がなくても、狭い折り畳み股幅が依然得られることができることが見出された。この狭い折り畳み股幅は、少なくとも一対のレッグカフ２６並びに場合により２対のレッグカフ２６及び２７からの弾性体の収縮と組み合わせた、吸収性コア（図５参照）の細長い砂時計形状に起因し得る。このような例では、吸収性物品は、折り畳み構成において、図９Ａの例示的な形状をとることができる。図９Ａは、狭い折り畳み股幅を「Ｗ」として示している。
【００３９】
本明細書における折り畳み股幅試験に従って測定された折り畳み股幅（すなわち、図１のＷ）は、吸収性物品１０のサイズに応じて、約１５０ｍｍ未満、約１００ｍｍ未満、約７５ｍｍ未満、約５０ｍｍ未満、約４５ｍｍ未満、約５０ｍｍ未満、約４０ｍｍ未満、約３５ｍｍ未満、約３０ｍｍ未満、約２５ｍｍ未満、約２０ｍｍ未満、又は約１５ｍｍ未満であってもよい。本明細書における折り畳み股幅試験に従って測定された折り畳み股幅は、例えば、約１０ｍｍ〜約１５０ｍｍ、約１０ｍｍ〜約１００ｍｍ、約１０ｍｍ〜約７５ｍｍ、約１５ｍｍ〜約５０ｍｍ、約１５ｍｍ〜約４５ｍｍ、４５ｍｍ未満、４０ｍｍ未満、３５ｍｍ未満、約２０ｍｍ〜約４０ｍｍ、約２５ｍｍ〜３５ｍｍ、又は約１５ｍｍ〜約３０ｍｍの範囲であってもよく、例えば、具体的には、指定した範囲及び範囲内に又は範囲によって形成されるすべての範囲内の０．１ｍｍ刻みの数値がすべて挙げられる。
【００４０】
上述のように、図２、図４、図６、及び図１１を参照して、吸収性物品１０に１つ以上の湿りガード２２、２４を設けてもよい。一般的に、湿りガード２２及び２４は、乳幼児の背中、腰背部、及び／又は脚と、排泄物で汚されるトップシート３６の一部との間に障壁を確立するように設けられている。第１の湿りガード２２は、横方向中心軸線１２の第１の側に位置付けられてもよく、第２の湿りガード２４は、横方向中心軸線１２の第２の側に位置付けられてもよい。前述のように、ある吸収性物品１０には、１つの湿りガード（２２か２４かのいずれか一方）だけが設けられてもよい。いくつかの形態では、他の湿りガードもまた、湿りガード２２及び２４に加えて、あるいはこれらに代えて設けられてもよい。一例として、いくつかの湿りガードは、第１の端縁部２８と第２の端縁部３０との間に少なくとも部分的に長手方向に延在することができる。湿りガード２２及び２４は、（横方向中心軸線１２に平行な方向に測定された）任意の好適な幅及び（長手方向中心軸線１４に平行な方向に測定された）長さを有することができる。場合によっては、湿りガード２２及び２４は、第１の幅を有してもよく、吸収性物品１０は、第２の幅を有してもよい。第１の幅は、第２の幅と同一であってもよく、あるいは第２の幅と異なって（第２の幅より大きいか、又は小さくて）もよい。例えば、湿りガードは、カフ２６又はカフ２７の中間までのみ延在し、第１の側縁部及び第２の側縁部３２及び３４にまで延在しなくてもよい。場合によっては、湿りガード２２又は２４のうちの一方は、第１の幅を有し、湿りガード２２又は２４のうちの他方は、第２の幅を有してもよい。第１の幅及び第２の幅は、同一でも異なっていてもよい。場合によっては、湿りガード２２又は２４のうちの一方は、（長手方向中心軸線１４に平行に測定された）第１の長さを有してもよく、湿りガード２２又は２４のうちの他方は、第２の長さを有してもよい。第１及び第２の長さは、同一でも異なっていてもよい。第１の湿りガード２２は、第２の湿りガード２４よりも長い長さを有してもよく、あるいは逆であってもよい。場合によっては、湿りガード２２及び２４は、吸収性物品１０が可逆性であり得るように同じ長さを有してもよい。第１の湿りガード２２は、吸収性コアの第１の部分と重なってもよく、第２の湿りガード２４は、吸収性コアの第２の部分と重なってもよい。
【００４１】
図１１を参照して、第１の湿りガード２２は、第１の端部６６及び第２の端部６８を有してもよい。第１の端部６６は、吸収性物品１０の第１の端縁部２８に近接して位置付けられてもよい。第２の端部６８は、第１端縁部２８と横方向中心軸線１２との中間に位置付けられてもよい。第１の湿りガード２２の第２の端部６８は、直線であるとして図示されているが、横方向軸線１２に対して凹状又は凸状であってもよく、あるいは任意の他の好適な形状を有してもよい。第１の湿りガード２２は、トップシート３６の少なくとも一部の上に位置付けられてもよく、長手方向軸線１４と重なるか、又は交差していてもよい。他の例では、湿りガード２２は、トップシート３６の一部及びカフ２６、２７又は隆起バリアの一部の上に位置付けられてもよい。
【００４２】
再度、図１１を参照して、第１の湿りガード２２の第１の部分７０は、カフ２６、２７、隆起バリア、吸収性物品１０の第１の端縁部２８に近接するトップシート３６及び／又はバックシート３８に接合されていてもよい。第１の湿りガード２２の第２の部分７２は、カフ２６、２７、隆起バリア、吸収性物品１０の第１の側縁部３２に近接するトップシート３６及び／又はバックシート３８に接合されていてもよい。第１の湿りガード２２の第３の部分７４は、カフ２６、２７、隆起バリア、吸収性物品１０の第２の側縁部３４に近接するトップシート３６及び／又はバックシート３８に接合されていてもよい。接合は、例えば、機械的接合又は接着性接合を使用することを含むことができる。接合は、間欠的又は連続的であってもよい。この接合により、図１２を参照して、第２の端部６８は、トップシート３６、カフ２６、２７、及び隆起バリアに取り付けられなくてもよく、少なくとも第１の湿りガード２２の非着用者対向面とトップシート３６との間にポケット７１が生成される。他の例では、第２の端部６８は、例えば、トップシート３６，カフ２６、２７、及び／又は隆起バリアに接合されるか、あるいは部分的に接合されてもよい。ポケットはまた、湿りガード２２のポケット７１と同様の様式で第２の湿りガード２４によって作製することができる。
【００４３】
引き続き図１１を参照して、第２の湿りガード２４は、第１の端部７６及び第２の端部７８を有することができる。第１の端部７６は、吸収性物品１０の第２の端縁部３０に近接して位置付けられてもよい。第２の端部７８は、第２の端縁部３０と横方向軸線１２との中間に位置付けられてもよい。第２の湿りガード２４の第２の端部７８は、直線であるとして図示されているが、横方向軸線１２に対して凹状又は凸状であってもよく、あるいは他の好適な形状を有してもよい。第２の湿りガード２４は、トップシート３６の少なくとも一部の上に位置付けられてもよく、長手方向軸線１４と重なるか、又は交差していてもよい。他の例では、湿りガード２４は、トップシート３６の一部と、カフ２６、２７又は隆起バリアの一部の上に位置付けられてもよい。
【００４４】
第２の湿りガード２４の第１の部分８０は、カフ２６、２７、隆起バリア５６、吸収性物品１０の第２の端縁部３０に近接するトップシート３６及び／又はバックシート３８に接合されていてもよい。第２の湿りガード２４の第２の部分８２は、カフ２６、２７、隆起バリア、吸収性物品１０の第１の端縁部３２に近接するトップシート３６及び／又はバックシート３８に接合されていてもよい。第２の湿りガード２２の第３の部分８４は、カフ２６、２７、隆起バリア、吸収性物品１０の第２の側縁部３４に近接するトップシート３６及び／又はバックシート３８に接合されていてもよい。接合は、例えば、機械的接合又は接着性接合を使用することを含むことができる。接合は、間欠的又は連続的であってもよい。この接合により、第２の端部７８は、トップシート３６、カフ２６、２７、及び隆起バリアに取り付けられなくてもよく、少なくとも第２の湿りガード２４の非着用者対向面とトップシート３６との間に（図１２のポケット７１のような）ポケットが生成される。他の例では、第２の端部７８は、例えば、トップシート３６，カフ２６、２７、及び／又は隆起バリアに接合されるか、あるいは部分的に接合されてもよい。
【００４５】
他の例では、第１及び／又は第２の湿りガード２２及び２４は、吸収性物品１０の着用者対向面の任意の好適な場所でトップシート３６、カフ２６、２７、隆起バリア及び／又はバックシート３８に接合されてもよい。一例では、湿りガード２２及び２４の周辺の全部又は一部は、着用者対向面に接合されていてもよい。他の例では、非周辺領域の全部又は一部は、着用者対向面に接合されてもよい。両者が設けられている場合、２つの湿りガード２２及び２４は、着用者対向面の一部に同一の様式で又は異なる様式で接合されていてもよい。一例では、湿りガード２２及び２４のうちの一方又は両方が、パッケージ内の吸収性物品１０に接合されていないが、代わりに別個の部品として提供される別個の部品であってもよい。その後、看護者又は介護者は、吸湿性物品１０の着用者対向面の部分に、適宜、湿りガード又は複数の湿りガードを位置付けてもよい。湿りガード２２及び２４は、湿りガード２２及び２４と第１及び第２の端縁部２８及び３０との間に空間を有してもよい。別の言い方をすれば、それぞれの湿りガードの最も長手方向外側の部分は、第１の端縁部２８又は第２の端縁部３０に位置付けられる必要はないが、代わりに、例えば１．３センチメートル（０．５インチ）の隙間のような隙間が存在していてもよい。
【００４６】
湿りガード２２及び２４は、同一の構造又は異なる構造を有してもよい。図２及び図４を参照して、湿りガード２２及び２４はそれぞれ、第１の液体不透過性材料（又は実質的に液体不透過性材料）８６及び第２の液体透過性材料８８を含む積層体を含むことができる。湿りガードはまた、他の液体透過層又は不透過層を含んでもよい。層８６及び層８８は、接着剤９０を使用するなど任意の好適な様式で共に接合され得る。接着剤９０は、連続的又は非連続であってもよく、例えば、スロット状に塗工されるか又はらせん状に塗布されてもよい。第１の液体不透過性材料８６は、１種以上の不織布材料若しくはフィルム、又は積層体としての不織布及びフィルムを含むことができる。第２の液体透過性材料８８は、１種以上の不織布材料又は非フィルム材を含むことができる。第１の液体不透過性材料８６は、トップシート３６の一部に対向する一方、第２の液体透過性材料８８は、着用者に対向するか、又は吸収性物品の着用者対向面の一部を形成することができる。このように、第１の液体不透過性材料８６を使用して、湿りガードの下のトップシート３６の一部と第２の液体透過性材料８８との間に障壁を生成して、材料８８を乾燥状態及び無菌状態で保持することができる。第２の液体透過性材料８８を使用して、乳幼児の腰背部、腰、及び／又は脚に、柔軟、無菌、及び快適な表面を提供することができる。一例では、湿りガード２２及び２４は、液体不透過性フィルムを有さない１つ以上の疎水性不織布材料のみを含んでいてもよい。（複数種の）疎水性不織布材料は未処置であり得るので、これは自然と疎水性を維持する。他の例では、（複数種の）疎水性不織布材料は、より疎水性となるように処理されてもよい。
【００４７】
第１及び第２の湿りガード２２及び２４は、吸収性物品１０内に股受け領域９２を形成してもよい。股受け領域９２は、吸収性物品１０が乳幼児に位置付けられたとき、乳幼児の股領域が位置付けられる２つの湿りガード２２と湿りガード２４との間の領域である。第１の湿りガード２２と第２の湿りガード２４との間の股受け領域９２は、特定のサイズの乳幼児用の任意の好適な適当なサイズ（長さ又は幅）であってもよい。（共に、あるいは１つだけが設けられる場合、別で）湿りガード２２及び２４に対する股受け領域９２の表面積の比は、約７：１、約６：１、約５：１、約４：１、約３：１、約２：１、約１：１、又は約０．５：１であってもよく、あるいは約１０：１〜約１：１の範囲、具体的には上で指定した比及び指定した範囲内に形成されるすべての比の０．１刻みの数値がすべて挙げられる。股受け領域９２は、例えば約２５ｃｍ２〜約７５０ｃｍ２、約４０ｃｍ２〜約５００ｃｍ２、約５０ｃｍ２〜約４００ｃｍ２、約５０ｃｍ２〜約２５０ｃｍ２、約５０ｃｍ２〜約２００ｃｍ２、約５０ｃｍ２〜約１５０ｃｍ２、約５０ｃｍ２〜約１００ｃｍ２、又は約６０ｃｍ２〜約８０ｃｍ２の範囲の面積を有してもよく、具体的には、指定した範囲及び範囲内に又は範囲によって形成されるすべての範囲内の０．１ｃｍ２刻みの数値がすべて挙げられる。
【００４８】
吸収性物品は、平坦に置かれ、弾性体の収縮が引っ張られると、長手方向中心軸線１４対して平行な方向に、５００ｍｍ未満、４００ｍｍ未満、３００ｍｍ未満、２７５ｍｍ未満であるが、少なくとも１００ｍｍの長さを有してもよい。吸収性物品は、平坦に置かれ、弾性体の収縮が引っ張られると、横方向中心軸線１２対して平行な方向に、２００ｍｍ未満、１５０ｍｍ未満、１３０ｍｍ未満、１００ｍｍ未満であるが、少なくとも５０ｍｍの幅を有してもよい。
【００４９】
第１及び／又は第２の湿りガード２２及び２４を作成するために、バックシート３８及び外側カバー不織布材料５８は、第１及び第２の端縁部２８及び３０を越えて延在し、吸収性物品１０の着用者対向側に折り重なってもよい。バックシート３８及び外側カバー不織布材料５８の折り重なった部分を、トップシート３６、カフ２６、２７の一部、隆起バリア及び／又はバックシート３８に接合してもよい。このように、バックシート３８の折り重なった部分が第１の液体不透過性材料８６を形成し、外側カバー不織布材料５８が湿りガード２２及び２４の第２の液体透過性材料８８を形成することができる。他の例では、バックシート３８及び外側カバー不織布材料５８は、着用者対向面の一部に接合されていなくてもよいが、代わりに着用者対向面に単に折り重ねられていてもよい。
【００５０】
別の例では、第１及び／又は第２の湿りガード２２及び２４は、それぞれ第１の液体不透過性材料８６及び第２の液体不透過性材料８８を含む別個の積層体から形成されてもよい。これらの別個の積層体は、トップシート３６、カフ２６、２７の一部、隆起バリアの部分及び／又はバックシート３８に接合されてもよい。
【００５１】
吸収性物品１０は、例えば、約１５０ｃｍ２〜約１５００ｃｍ２、約１７５ｃｍ２〜約１０００ｃｍ２、約２００ｃｍ２〜約８００ｃｍ２、約２００ｃｍ２〜約５００ｃｍ２、約２００ｃｍ２〜約４００ｃｍ２、約２００ｃｍ２〜約３００ｃｍ２、約２００ｃｍ２〜約２５０ｃｍ２、約２１０ｃｍ２〜約２４０ｃｍ２又は約２２５ｃｍ２の範囲の着用者対向面面積（湿りガードの面積を含む全着用者対向面）を有してもよく、具体的には、指定した範囲及び範囲内に又は範囲によって形成されるすべての範囲内の０．１ｃｍ２刻みの数値がすべて挙げられる。
【００５２】
湿りガード２２又は２４は、例えば、約１０ｃｍ２〜約８００ｃｍ２、約１５ｃｍ２〜約６００ｃｍ２、約１５ｃｍ２〜約４００ｃｍ２、約２０ｃｍ２〜約３００ｃｍ２、約２０ｃｍ２〜約２００ｃｍ２、約２０ｃｍ２〜約１００ｃｍ２、約２０ｃｍ２〜約７５ｃｍ２、又は約２５ｃｍ２〜約７０ｃｍ２の範囲の面積を有してもよく、具体的には、指定した範囲及び範囲内に又は範囲によって形成されるすべての範囲内の０．１ｃｍ２刻みの数値がすべて挙げられる。上述したように、両方が吸収性物品に設けられている場合、湿りガード２２は、湿りガード２４と同一であるか、又は異なる面積を有してもよい。
【００５３】
別の例では、図１３を参照して、湿りガード２２、２４のうちの少なくとも一方又は両方を、例えば、第１の側縁部３２、第２の側縁部３４、並びに／又は側縁部３２及び３４のうちの一方に近接する吸収性物品１０の一部にだけ取り付けることができる。他の例では、湿りガード２２及び／又は２４は、例えば、外側カバー不織布材料５８、バックシート３８、トップシート３４、隆起バリアのうちの１つ、及び／又はカフ（２６又は２７）のうちの１つに取り付けられてもよい。かかる例において、図１３の湿りガード２２は、例えば、図２に示された位置に折り重ねられるように構成されていてもよい。湿りガード２４は、図示された湿りガード２２と同様の構成を有してもよく、あるいは図２を参照して記載されたように設けられてもよい。湿りガード２２（及び／又は同一の形体で設けられる場合、湿りガード２４）は、例えば、複数のフック又は接着剤のような締着部２３を含んでもよく、例えば、湿りガード２２が吸収性物品１０に折り重ねられると、湿りガード２２は、締着部２３によって、吸収性物品１０の着用者対向面の一部に接合される。湿りガード２２の材料は、上述したものと同じであるか、又はそれに類似していてもよい。
【００５４】
更に他の例では、図１４及び図１５を参照して、湿りガード２２及び２４のうちの一方又は両方は、吸収性物品１０（図１４）とは別の部品（図１５）であってもよく、例えば、図２に示す位置、あるいは、例えば、看護者又は介護者が所望するような他の位置において、吸収性物品１０に配置されるように構成されてもよい。場合によっては、図１４及び図１５に図示するように、１つの湿りガード２２は、別個の部品であってもよく、他方の湿りガード２４は、カフ２６（又は２７）、隆起バリア、トップシート３６及び／又はバックシート３８に接合されていてもよい。個別の湿りガード又は複数の湿りガードは、吸収性物品１０と共に包装されていてもよく、あるいは別個に包装及び／又は販売されていてもよい。別個の湿りガード２２（及び／又は別個の場合、湿りガード２４）は、第１の締着部２３及び第２の締着部２５を有することができる。第１の締着部２３及び第２の締着部２５を使用して、個別の湿りガード２２を、所望どおりに吸収性物品１０の着用者対向面の一部に接合し、吸収性物品１０の使用中に湿りガード２２を適所に維持することができる。湿りガードの材料は、上述したものと同じであるか、又はそれに類似していてもよい。
【００５５】
更に他の例では、図１６及び図１７を参照して、湿りガード２２及び２４のうちの少なくとも一方又は両方がスリーブ形態で設けられてもよい。スリーブは、パッケージ内の吸収性物品１０上に位置付けられてもよく、パッケージ内の吸収性物品１０とは別個に位置付けられてもよく、あるいは別のパッケージで販売されてもよい。一旦、吸収性物品上に位置付けられると、スリーブは、矢印９４、９６の方向に移動可能であり、看護者又は介護者は、所望どおりに湿りガード２２を位置付けることができる。場合によっては、図１６に示すように、１つの湿りガード２４が、着用者対向面に接合され、別の湿りガード２２が、スリーブの形態をとることができる。いくつかの形態では、湿りガードの材料は、上記と同じであってもよいし同様であってもよい。他の形態では、着用者対向面の上に位置付けられた湿りガードの部分だけが、その他の部分（すなわち、吸収性物品１０の非着用者対向面９８に巻き付けられた部分）が、例えば、フィルムを含まない不織布材料のような他の材料で構成される、本明細書に記載された湿りガードの構成を有してもよい。図１７は、スリーブ状の湿りガード２２が、どのように吸収性物品１０を取り巻くかの例を示す。
【００５６】
本開示の吸収性物品１０は、１つ以上の締着部材を有することができる。締着部材は、後側腰部領域１８において吸収性物品１０に恒久的に取り付けられ、前側腰部領域の衣類対向面に、締着部（例えばフック）によって係合される、又はその逆の、関連技術の締着部材（すなわち、テープ付き締着部材）であってよい。場合によっては、このような係合のために、前側腰部領域１６の衣類対向面に、ランディングゾーンを設けることができる。他の例では、締着部材は、完全に取り外し可能な締着部材１００であってもよい。締着部材は、別個の要素でもあり得る伸長パネルであってもよい。図１８及び図１９を参照して、締着部材１００はそれぞれ、第１の表面１０２、第２の表面１０４、第１の端部１０６及び第２の端部１０８を含むことができる。第１の表面１０２は、第２の表面１０４の反対側であってもよく、第１の端部１０６は第２の端部１０８の反対側であってもよい。締着部材１００は、外側カバー不織布材料５８の第１の部分又はランディングゾーンの第１の部分と係合するように構成され、第１の表面１０２に位置付けられた、第１の締着部１１０を含むことができる。吸収性物品１０は、ランディングゾーンを有していなくてもよい。締着部材１００は、外側カバー不織布材料５８の第２の異なる部分に係合するように構成され、第１の表面１０２に位置付けられた、第２の締着部１１２を含むことができる。場合によっては、第１の表面１０２に第１の締着部材１１０を設け、第２の表面１０４に第２の締着部材１１２を設けることが所望され得、締着部は、例えば、管を保持するためにループ状に折り畳むことができる。外側カバー不織布材料５８の第１の部分は、前側腰部領域１６、後側腰部領域１８、又は股部領域２０にあってもよい。同様に、外側カバー不織布材料５８の第２の部分は、前側腰部領域１６、後側腰部領域１８、又は股部領域２０にあってもよい。締着部１１０は、第１の端部１０６に近接して位置付けられてもよく、締着部１１２は、第２の端部１０８に近接して位置付けられてもよい。場合によっては、吸収性物品１０に完全に取り外し可能な締着部材１００が１つのみ設けられてもよく、他の締着部材は、その端部の少なくとも１つの端部において、吸収性物品に恒久的に接合されていてもよい。
【００５７】
締着部材１００は、吸収性物品１０から取り外し可能であるため、看護者や介護者の所望に応じてあるいは必要に応じて締着することができる。場合によっては、看護者又は介護者は、例えば、乳幼児がある位置にいる場合、締着部材１００を吸収性物品１０から取り外し、これらを使用しなくてもよい。他の例では、看護者又は介護者は、例えば、乳幼児が他のある位置にいる場合、締着部材１００のうち１つのみを使用してもよい。
【００５８】
図１８〜図２２を参照して、第１の締着部１１０及び第２の締着部１１２は、締着部材１００の周辺まで延在しなくてもよい。これは、頑丈な締着部材（例えば、フック）が着用者の皮膚に接触又は刺激を与えることを防止するか、あるいは少なくとも抑制することを助けることができる。締着部１１０及び１１２は、矩形として図示されているが、例えば、円形又は卵形などの任意の他の好適な形状であってもよい。場合によっては、締着部が、着用者の皮膚に刺激を与えることを再び防止するか、あるいは少なくとも抑制するように、角部を有さない締着部を有することが所望され得る。パッケージ内において、第１及び第２の締着部１１０及び１１２は、第１の表面１０２に接合されてもよいので、第１及び第２の締着部１１０及び１１２は、吸収パッドの他の部分、他の締着部材、及び／又は他の物品と意図せず係合することを少なくとも抑制される。
【００５９】
図２０を参照して、締着部材１００は、第１の不織基材又は他の基材１１４と、第２の又は他の不織布基材１１６と、第１の基材１１４と第２の基材１１６との中間に少なくとも部分的に位置付けられた弾性材料１１７と、を含むことができる。弾性材料としては、例えば、弾性不織布材料、弾性フィルム、又は弾性ストランドを挙げることができる。弾性材料は、通気性を促進するために、有孔であるか、又は微細有孔であってもよい。他の例では、締着部材は、１つ以上の基材を含んでもよく、弾性材料を含まなくてもよい。
【００６０】
図２１及び図２２を参照して、締着部材１００の（例えば、第１の端部１０６と第２の端部１０８との間の）中間部分１１８は、締着部材１００における１つ以上のスロット１２０又は開口を画定することができる。スロット又は開口１２０は、任意の好適なサイズ及び／又は形状を有し得る。特定の例では、未熟児、ＮＡＳの乳幼児、その他の乳幼児は、栄養管、コード型監視装置（例えば、心拍監視装置）、コード型生活支援装置等を使用している。これらの管及びコードは、スロット１２０又は開口を通って位置付けられて、管及びコードを適所に保持することを助けることができる。場合によっては、締着部材１００の中間部分１１８又は他の部分は、例えば、高通気性フィルム、不織布、フィルム／不織布積層体、又は有孔フィルム若しくは有孔不織布材料などの高通気性材料で構成することができる。
【００６１】
一部の国では、乳幼児の臍帯の一部が乾燥及び／又は治癒しているとき、生後、臍領域に空気を流すことが可能であることが所望され得る。図２３及び図２４を参照して、前側腰部領域１６の第１の端縁部２８に第１の臍帯切り欠き部１２２を画定してもよく、後側腰部領域１８の第２端縁部３０に第２の臍帯切り欠き部１２４を画定してもよい。第１の臍帯切り欠き部１２２及び第２の臍帯切り欠き部１２４は、第１の端縁部２８及び第２の端縁部３０に対して任意の好適なサイズ、形状、及び／又は深さを有することができる。場合によっては、第１又は第２の臍帯切り欠き部のみを設けることができる。２つの臍帯切り欠き部を有することの利点は、吸収性物品１０が、着用者の正面に前側腰部領域１６が適用されるか、あるいは着用者の背中に前側腰部領域１６が適用されてもよいことである。換言すると、２つの臍帯切り欠き部を設けることにより、吸収性物品１０は、可逆性であることができる。長手方向軸線１４（例えば、図２参照）は、臍帯切り欠き部を通って延在することができる。
【００６２】
図２４を参照して、締着部材１００の第１の側が、後側腰部領域１８の一部に恒久的に固定されてもよく、吸収性物品１０に解放可能に接合されていなくてもよい。締着部材１００の第１の側は、後側腰部領域１８の一部に、１つ以上の結合部１３８、接着剤のラインを使用して、恒久的に固定されてもよく、あるいは他の方法で恒久的に固定されてもよい。締着部材１００の第２の側は、締着部材１００の第２の側を前側腰部領域１６の一部に接合するために使用される締着部を含むことができる。あるいは、締着部材１００の第２の側は、前側腰部領域１６に恒久的に固定されてもよく、締着部材１００の第１の側は、締着部材１００の第１の側を後側腰部領域１８に接合するために使用される締着部を含むことができる。
【００６３】
一部の国では、生後の乳幼児の臍を覆うことが所望され得る。図２５及び図２６を参照して、第１の臍帯突起部１２６は、前側腰部領域１６の第１の端縁部２８から延在することができ、第２の臍帯突起部１２８は、後側腰部区域１８の第２の端縁部３０から延在することができる。第１及び第２の臍帯突起部１２６及び１２８は、第１の端縁部２８及び第２の端縁部３０に対してそれぞれ任意の好適なサイズ、形状及び／又は高さを有してもよい。場合によっては、第１の臍帯突起部又は第２の臍帯突起部のみを設けることができる。２つの臍帯突起部を有することの利点は、吸収性物品１０が、着用者の正面に前側腰部領域１６が適用されるか、あるいは着用者の背中に前側腰部領域１６が適用されてもよいことである。換言すると、２つの臍帯切り欠き部を設けることにより、吸収性物品１０は、可逆性であることができる。長手方向軸線１４（例えば、図２参照）は、臍帯突起部を通って延在することができる。
【００６４】
臍帯突起部は、臍帯突起部の中に画定された１つ以上のスロット１３０又は開口を有してもよい。スロット１３０又は開口は、任意の好適なサイズ及び／又は形状を有し得る。特定の例では、未熟児、ＮＡＳの乳幼児、その他の乳幼児は、栄養管、コード型監視装置（例えば、心拍監視装置）、コード型生活支援装置等を使用している場合がある。これらの管及びコードは、スロット１３０又は開口を通って位置付けられて、管及びコードを適所に保持することを助けることができる。
【００６５】
場合によっては、吸収性物品には、臍帯切り欠き部又は臍帯突起部が設けられなくてもよい（例えば、図１及び２参照）。更に他の例では、横方向軸線１２の第１の側に、臍帯切り欠き部を設けてもよく、横方向軸線１２の第２の側に臍帯突起部を設けてもよい。
【００６６】
上記のように、繊細な体と皮膚のため、未熟児及びＮＡＳの乳幼児との接触を可能な限り少なくすることが所望され得る。一方で、乳幼児の皮膚を保護するために、可能な限り排泄物を含まないように、吸収性物品を乳幼児が身に付けることもまた所望される。乳幼児が、インキュベータ内に位置付けられるような場合、従来の湿り度インジケータは、インキュベータの高湿度環境により、適切に機能しない場合がある。本開示は、低不透明度の外側カバー不織布材料５８及び／又はバックシート３８を提供することによって、これらの問題を解決する方法を提供する。低不透明度の外側カバー不織布材料５８及び／又はバックシート３８を提供することによって、看護者は、乳幼児に触れることなく、吸収性物品を交換する必要があるかどうかを視覚的に判断することができ、それ故に、吸収性物品が汚れていないか、又はあまり汚れていない場合、乳幼児を煩わせなくて済む。
【００６７】
バックシート３８の不透明度は、約１０％〜約８０％、約１５％〜約７０％、約２０％〜約７０％、又は約２５％〜約７０％の範囲内であってもよく、具体的には、指定した範囲内及び範囲内に又は範囲によって形成されるすべての範囲内の０．１％刻みの数値がすべて挙げられる。本明細書において、不透明度試験を使用して、すべての不透明度（％）が求められる。
【００６８】
外側カバー不織布材料５８の不透明度は、約１％〜約５０％、約５％〜約３０％、約５％〜約２５％、約１０％〜約２０％、約１０％〜約１５％、又は約３０％未満、約２５％未満、約２０％未満、約１５％未満、又は約１０％未満の範囲内であってもよく、具体的には、指定した範囲内及び範囲内に又は範囲によって形成されるすべての範囲内の０．１％刻みの数値がすべて挙げられる。本明細書において、不透明度試験を使用して、すべての不透明度（％）が求められる。
【００６９】
積層体として測定された、バックシート３８及び外側カバー不織布材料５８の不透明度は、約１５％〜約９５％、約２０％〜約８０％、約３０％〜約７０％、又は約４０％〜約６０％の範囲内であってもよく、具体的には、指定した範囲内及び範囲内に又は範囲によって形成されるすべての範囲内の０．１％刻みの数値がすべて挙げられる。本明細書において、不透明度試験を使用して、すべての不透明度が求められる。
【００７０】
低不透明の外側カバー不織布材料５８及び／若しくはバックシート３８に加えて又はこれに代えて、吸収性物品１０は、バックシート３８の着用者対向側又は他の好適な位置に位置付けられてもよい湿り度インジケータ１３２を備えてもよい。湿り度インジケータは、吸収性物品１０の着用者対向面又は衣類対向面から目視可能であってもよい。これにより、排泄物は、湿り度インジケータに接触するので、湿り度インジケータは、吸収性物品が汚れ、取り換えが必要であることを看護者又は介護者に示すために、色を変えたり、出現したり、又は消えたりすることができる。他の例では、湿り度インジケータは、吸収性物品１０内の（吸収性物品に進入した排泄物に起因する）温度変化に基づいて色を変えたり、出現したり、又は消えたりすることができる。他の例では、吸収性物品１０は、湿り度インジケータを備えなくてもよい。
【００７１】
吸収性物品１０は、乳幼児の皮膚の健康を促進するために、トップシート３６、レッグカフ２６及び／若しくは２７、並びに／又は他の構成要素に、ローション、軟膏、皮膚保護軟膏、ビタミン剤、抗菌処理、抗微生物処理、抗真菌処理を含んでもよい。
【００７２】
パッケージ
本開示の吸収性物品は、様々な形態で、パッケージに入れられてもよい。パッケージは、例えば、フィルムを含むことができる。パッケージは、吸収性物品に関連する、印、ブランド名、宣伝文句、写真及び／又はグラフィックを含むことができる。パッケージ内の吸収性物品は、本明細書に開示された特徴の全部又は一部を有してもよい。場合によっては、パッケージは、同一のパッケージ内又は異なるパッケージ内に異なる特徴又はサイズを有する吸収性物品を含んでもよい。一例として、パッケージは、複数の吸収性物品と、吸収性物品と共に使用するように構成された複数の別個の締着部材及び／又は別個の湿りガードと、を含んでもよい。複数の締着部材のうちの少なくともいくつかはそれぞれ、第１の表面と、第１の表面と反対側の第２の表面と、第１の端部と、第１の端部と反対側の第２の端部と、第１の表面に複数の第１のフックを有し、第１の端部に近接して位置付けられた、第１の締着部と、第１の表面に複数の第２のフックを含み、第２の端部に近接して位置付けられた、第２の締着部と、を含んでもよい。
【００７３】
アレイ
本開示の吸収性物品は、アレイ又はオンラインアレイにおいて販売されるか、又は取り換えられてもよい。アレイ又はオンラインアレイは、様々なサイズの吸収性物品又は様々な特徴を有する吸収性物品を含むことができる。アレイ又はオンラインアレイはまた、別個の締着部又は別個の湿りガードを含んでもよい。
【００７４】
本明細書に記載の湿りガード２２及び２４の任意の構成は、共に使用されてもよく、例えば、別個である湿りガードは、折り重なる湿りガードと共に使用されてもよく、あるいは吸収性物品１０の片側のみに取り付けられる湿りガードは、常設の湿りガード又は別個の湿りガードと共に用いられてもよい。吸収性物品の他の特徴は、本明細書に記載の湿りガードの構成のうちの任意と組み合わせて使用してもよい。
【００７５】
股部圧縮力
本開示の吸収性物品は、約０．４Ｎ〜約２．５Ｎ、約０．４Ｎ〜約１．５Ｎ、約０．５Ｎ〜約２．０Ｎ、約０．６Ｎ〜約１．５Ｎ、約０．７Ｎ〜約１Ｎ、約０．８Ｎ〜約０．９Ｎ、約０．７５Ｎ〜約１Ｎの範囲内、又は約２．０Ｎ未満、約１．８Ｎ未満、約１．６Ｎ未満、約１．５Ｎ未満若しくは約１Ｎ未満の股部圧縮力を有してもよく、具体的には、指定された範囲、及びこれらの範囲内に又はこれらの範囲によって形成されるすべての範囲を伴って、０．０１Ｎ刻みの数値がすべて挙げられる。すべての股部圧縮力測定は、本明細書における股部圧縮力測定試験に従って行われる。
【００７６】
図２７〜図２９は、衣類対向面を観者に向けた状態の、グラフィック及び／又は印１３４、１３６（以下「グラフィック」）を有する吸収性物品１０の概略図である。グラフィック１３４は、横方向中心軸線１２の第１の側にあってもよく、衣類対向面から見ることができ、グラフィック１３６は、横方向中心軸線１２の第２の側にあってもよく、吸収性物品１０の衣類対向面から見ることができる。グラフィック１３４及び／又は１３６は、吸収性物品１０の長手方向中心軸と交差してもよく、あるいは交差しなくてもよい。グラフィック１３４及び／又は１３６は、単一の画像、複数の画像、単一のパターン又は複数のパターンを形成する単一のグラフィック又は複数のグラフィックであってよい。グラフィック１３４は、介護者又は着用者に吸収性物品の可逆性を示すように、横方向中心軸線１２に対してグラフィック１３６の鏡像であってもよい（又は同一であるか若しくは実質的に同一であってもよい）。他の例では、グラフィック１３４は、横方向中心軸線１２に対してグラフィック１３６の鏡像でなくてもよい。図２９を参照して、グラフィック１３４及び／又は１３６は、ブランド名、文字、及び／又はロゴから少なくとも部分的に構成されてもよい。グラフィック１３４及び／又は１３６は、例えば、バックシート３８及び／又は外側カバー不織布材料５８に印刷されるか、位置付けられるか、かつ／又は塗布されてもよい。グラフィック１３４及び１３６がバックシート３８にある場合、外側カバー不織布材料５８は、グラフィック１３４及び１３６が外側カバー不織布材料５８を通って視認可能な不透明度を有してもよい。グラフィック１３４及び１３６は、バックシート３８の衣類対向側及び／又はバックシート３８の着用者対向側にあってもよい。グラフィック１３４はまた、前側腰部領域１６内のランディングゾーンに印刷されるかないしは別の方法で付与されてもよい。同様に、グラフィック１３６は、後側腰部領域１８のランディングゾーンに印刷されるかないしは別の方法で付与されてもよい。２つのランディングゾーンを設けることにより、介護者は、吸収性物品１０が可逆性であることを認識することができる。ランディングゾーンは、外側カバー不織布材料５８に接合された別個の材料であってもよく、あるいは外側カバー不織布材料５８の部分により形成されてもよい。
【００７７】
横方向中心軸線１２に対して互いの鏡像であるグラフィック１３４及び１３６を有することにより、吸収性物品１０は、可逆性であり得る。言い換えると、乳幼児の（又は着用者の）後側腰部領域は、吸収性物品１０がどのように乳幼児に着用されているかに応じて、グラフィック１３４又は１３６に隣接して位置付けられてもよい。吸収性物品１０が可逆的であるように作製されている場合、吸収性コア４０内の吸収性材料４２は、場合によっては、均一かつ均質であり得る。吸収性コア４０はまた、吸収性物品の可逆性を補助するように、吸収性物品内で長手方向にセンタリングされてもよい。横方向中心軸線１２の両側に互いに鏡像をなすグラフィックを設けることにより、介護者は、吸収性物品が可逆性であることを迅速に認識することとなる。更に、グラフィックは、締着部（例えば、１１０、１１２）が衣類対向面に取り付けられてもよい場所（例えば、ランディングゾーン）を示して、締着部の適切な適用に関して介護者を誘導し、それにより、吸収性物品１０を適切に適用できる。
【００７８】
図８及び図３０〜図３４を参照すると、１つ以上のインサート１４０が、吸収性物品１０と共に使用するために設けられてもよい。１つ以上のインサート１４０は、吸収性物品１０と共に包装されてもよく、あるいは別個に包装され販売されてもよい。１つ以上のインサート１４０及び１つ以上の吸収性物品１０は、キットであってもよい。１つ以上のインサート１４０は、吸収性物品１０が着用者に着用された後、又は吸収性物品１０が着用者に着用される前に、吸収性物品１０内に位置付けられてもよい。インサート１４０は、吸収性物品１０の汚染前又は吸収性物品１０の汚染後に使用されてもよい、追加の吸収性収容要素を本質的に提供する。インサート１４０は、吸収性物品１０のみを使用した場合に比べて、乳幼児又は着用者が完全に交換する必要がなくてもよく、それにより、移動又は接触が少なくて済むことができるという点で有利であり得る。複数のインサートを一度に使用することができ、汚れた場合、最も着用者に近い側のインサートを除去することができる。場合によっては、インサート１４０は、任意の好適な接合手法を使用して、吸収性物品１０の着用者対向面又は他のインサートの着用者対向面に締着又は接合されてもよい。他の例では、インサート１４０は、いくつかの別個の取り付け機構又は接合機構なしに、吸収性物品１０の着用者対向面又は着用者対向面に単に配置されてもよい。これらの例では、インサート１４０は、摩擦により又は単に乳幼児の体重によって、適所にとどまることができる。場合によっては、インサートの少なくとも一部は、吸収性物品を着用者が着用中に吸収性物品に挿入されると、吸収性物品１０の着用者対向面の一部の上に摺動可能な低摩擦係数を有してもよい。インサートは、吸収性物品全体の取り換えを減らすことができ、これにより、乳幼児又は未熟児のストレスを少なくする（すなわち、動きを少なくする）ので有益である。
【００７９】
図３０は、本開示の吸収性物品１０の着用者対向面に位置付けられたインサート１４０の平面図である。図３１は、インサートの平面図である。図３２は、線３２−３２を中心に得られた図３１のインサート１４０の断面図である。図３３は、別のインサート１４０’の平面図である。図３４は、別のインサート１４０”の平面図である。
【００８０】
インサート１４０は、トップシート１４２と、任意選択的な捕捉材料及び／又は分配材料１４４と、吸収性コア１４６と、バックシート１４８と、任意選択的に外側カバー不織布材料１５０と、を含んでもよい。トップシート１４２は、１種以上の不織布材料、１種以上のフィルム又は１種以上の不織布材料及び１種以上のフィルムから形成された積層体から形成されてもよい。トップシート１４２は、液体透過性材料又はトップシート１４２を液体透過性又はより液体透過性であるようにすることができる、トップシート１４２に画定された、開口部１５２を含んでもよい。トップシート１４２はまた、例えば、三次元特徴部、エンボス加工、結合パターン、ローション及び／又は界面活性剤を含んでもよい。捕捉材料及び／又は分配材料１４４は、不織布材料、発泡体又は他の好適な材料で形成されてもよい。補足材料及び／又は分配材料１４４は、任意選択的な特徴部であるため、図３２にだけ示している。任意選択的に、架橋セルロース繊維の層もまた、トップシート１４２と捕捉材料及び／又は分配材料１４４との間に存在してもよい。吸収性コア１４６は、吸収性材料を含んでもよい。吸収性材料は、エアフェルト及び超吸収性ポリマーを含んでもよく、大部分がエアフェルト若しくはエアフェルトのみ、又は大部分が超吸収性ポリマー若しくは超吸収性ポリマーのみであってもよい。吸収性コア１４６は、吸収性材料を含まない領域（例えば、吸収性材料を含まないチャネル）を有してもよく、又は吸収性材料が緻密化されている領域（例えば、吸収性材料内に緻密化された領域によって形成されるチャネル）を有してもよい。バックシート１４８は、液体不透過性であってもよく、気体透過性（又は「通気性」）であってもよく、又は気体透過性でなくてもよい。場合によっては、バックシート１４８は、設けられなくてもよく、吸収性コア１４６によって吸収されない排泄物は、インサート１４０を通過し、吸収性物品１０内に移動する。外側カバー不織布材料１５０は、設けられてもよく、又は設けられなくてもよく、例えば、不織布材料で形成されてもよい。
【００８１】
図３２Ａを参照すると、場合によっては、インサート１４０は、図３１の線３２Ａ−３２Ａを中心に得られた場合、図示される断面を有してもよい。そのような場合、トップシート１４２は、バックシート１４８の端部領域の周りにＣ字形状巻き付き部を形成し、接着性結合材１４９又は他の種類の接合部を使用してバックシート１４８に接合されてもよい。そのような場合、バックシート１４８の一部は、吸収性物品１０のトップシート３６に据えられ得る。言い換えると、バックシート１４８の一部は、インサートの衣類対向面を形成してもよい。任意選択的な捕捉材料及び／又は分配材料１４４を設けてもよい。図３２Ａのインサートは、場合によっては、外側カバー不織布材料も更に有することができる。
【００８２】
図３３を参照すると、インサート１４０’が図示されている。この例示的インサート１４０’は、一方の端部に把持タブ１５４を有し、他方の端部に切り欠き部１５６を有する。把持タブ１５４を使用して、介護者は、インサート１４０’を容易に把持及び除去することができる。把持タブ１５４は、一例では、バックシート材料又は他の液体不透過性材料のみで形成されてもよく、排泄物は、把持タブ１５４に吸い上がることはできない。他の例では、把持タブ１５４は、トップシート１４２の一部、バックシート１４８の一部及び／又は外側カバー不織布材料１５０の一部によって形成されてもよい。一方の端部に把持タブ１５４及び他方の端部に切り欠き部１５６を設けることにより、インサートを複数のインサート１４０’のストリップに製造する際、省材料化を達成することができる。本明細書に記載のインサートのうちの任意は、複数のインサートのストリップに製造されてもよく、例えば、インサートのロールとしてパッケージされてもよい。脆弱線１５８が、様々なインサートの中間に形成されてもよい。そのような例では、複数のインサートのロールが介護者又は看護者に提供されてもよく、その後、介護者又は看護者は、特定の着用者に使用するために任意の好適な数のインサートを切り離すことができる。インサートはまた、例えば、積み重ねて、又は他の形態でパッケージされてもよい。
【００８３】
図３４を参照すると、インサート１４０”が図示されている。例示的なインサート１４０”は、介護者又は看護者が容易にインサート１４０”を配置及び除去することができるように、両端に把持タブ１５４を有してもよい。
【００８４】
場合によっては、様々なインサートは、着用した吸収性物品１０へのインサートの適用を補助する剛化部材又は剛化部分（例えば、発泡体、緻密化領域）を含んでもよい。
【００８５】
場合によっては、吸収性物品は、芳香剤、香料及び／又はローションを含まないことが所望され得る。他の例では、例えば、トップシートなどの吸収性物品の１つ以上の構成要素は、芳香剤、香料及び／又はローションを含まなくてもよい。
【００８６】
図３５を参照して、弾性体５２は、吸収性物品１０の、全長手方向、略全長手方向、又は全長手方向の一部にだけ延在していてもよい。ただし、ある例では、弾性体５２は、接合領域２２２において単にカフ２６に接合されていてもよい。弾性体５２は、第１の端部２８及び第２の端部３０において、吸収性物品が他の吸収性物品から分離された後、吸収性物品１０の全長手方向に延在しなくてもよい。この例では、弾性体５２は、接合領域２２２に向かって「後戻り」してもよい。接合領域２２２の外側の弾性体５２の一部は、カフ２６に接合しなくてもよく、これによって、接合領域２２２の外側のカフ２６の領域に弾性力を付与しない。接合領域２２２は、長手方向（すなわち、長手方向軸線２０を中心とする方向）中央において、弾性体５２の上に位置してもよい。別の言い方をすれば、接合領域２２２は、横方向軸線１２に対して対称性を示すことができる。他の場合、接合領域２２２は、横方向軸線１２に対して対称性を示さなくてもよく、あるいは横方向軸線１２に交差もしなくてもよい。この例では、接合領域２２２は、横方向軸線１２の第１の側に完全に位置付けられてもよく、あるいは横方向軸線１２の第２の側に完全に位置付けられてもよい。２つ以上の接合領域２２２が、単一のカフ２６に対して存在してもよい。単一の弾性体５２では、一方の接合領域は、横方向軸線１２の第１の側にあってもよく、第２の接合領域は、横方向軸線１２の第２の側にあってもよい。接合領域２２２は、長手方向軸線１４と概ね平行な方向に延在する、約０．６４センチメートル〜約２５センチメートル、約１．３センチメートル〜約１８センチメートル、約２．５センチメートル〜約１５センチメートル、約２．５センチメートル〜約１３センチメートル、又は約２．５センチメートル〜約１０センチメートル（約０．２５インチ〜約１０インチ、約０．５インチ〜約７インチ、約１インチ〜約６インチ、約１インチ〜約５インチ、又は約１インチ〜約４インチ）の長さを有してもよく、具体的には、指定された範囲、及びこれらの範囲内に又はこれらの範囲によって形成されるすべての範囲を伴って、０．３センチメートル（０．１インチ）刻みの数値がすべて挙げられる。特定の吸収性物品１０における接合領域２２２のある長手方向の長さは、吸収性物品１０のサイズ及び／又は吸収性物品１０の目的の使用に依存し得る。接合領域２２２は、例えば、１種以上の接着剤及び／又は１種以上の機械的結合、超音波結合及び／又は熱結合を含み、接合領域２２２内の弾性体５２をカフ２６に接合することができる。接合領域２２２は、単に図示の目的のために、矩形ブロックとして図示されているが、他の好適な形状が、本開示の範囲内にある。弾性体５２は、カフ２６に接合されるとき、予歪み状態であってもよく、予歪み状態が解放されると、接合領域２２２を有効化する。場合によっては、弾性体５２は、接合領域２２２を通って長手方向にだけ延びてもよく、予歪み状態であってもよい。カフ２６は、１種以上の材料又は不織布材料から形成され得る。１種だけの材料を使用する場合、その材料は、弾性体５２を囲い込むように材料自体が折り重ねられてもよい。２つの材料を使用する場合、材料は、これらの材料の間に弾性体を挟んでもよい。接合領域２２２は、図３７に示すように、間に予歪み状態の弾性体５２Ｐを有する２つ以上の別個の結合部２２２’であってもよい。弾性体５３は、設けられる場合、本段落に記載された弾性体５２と同一又は異なる特徴を有していてもよい。他の例では、弾性体５３だけが、弾性体５２に関して本段落で記載された特徴を有してもよい。弾性体５２及び／又は５３に１つ以上の接合領域２２２を設けることによって、吸収パッドは、第１の端縁部２８を第２の端縁部３０に向けることによりＵ字形状を形成することができる。これにより、より良好に排泄物を収容することができる。このＵ字形状の例示的な吸収性物品は、図３６に示されている。
【００８７】
他の例において、接合領域２２２は、設けられなくてもよく、カフは、第１の不織布基材又は第１の基材及び第２の不織布基材又は第２の基材を含んでもよい。第１及び第２の不織布基材は、様々な長手方向予歪み力で互いに接合され得る。このように、これらの予歪み力が解放されると、カフは収縮し、図３６の上の吸収性物品のような構造を形成することができる。第１及び第２の基材のうちの一方における１つの予歪み力は無視できるほどであってもよく、あるいはゼロであってもよい。
【００８８】
図３７を参照して、吸収性物品１０は、ある弾性的構成を有するカフ２６を有してもよい。弾性体５２及び／又は５３は、上述した接合領域２２２、２２２’を有してもよく、あるいは有さなくてもよい。弾性体５２は、それぞれ、第１の端縁部２８の近位の第１の結合部２２４と、第１の結合部２２４よりも第１の端縁部２８から遠位に位置付けられた第２の結合部２２６と、を有してもよい。弾性体５２はまた、それぞれ、第２の端縁部３０の近位の第３の結合部２２８と、第３の結合部２２８よりも第２の端縁部３０から遠位に位置付けられた第４の結合部１３０と、を有してもよい。弾性体５２は、第２の結合部２２６と接合領域２２２との中間で、あるいは接合領域２２２（又は２２２’）が設けられない場合、第２の結合部２２６と第４の結合部２３０との中間で切断されてもよい（例示的な切断線「ＣＬ」は図３７における破線で示されている）。接合領域２２２が設けられている場合には、第４の結合部２３０と接合領域２２２との中間で弾性体５２を切断してもよい。結合部２２４と結合部２２６との間の弾性体５２の収縮によって、第１の端縁部２８は、第１の端縁部２８の近位の着用者対向面の一部を丸めるか又はこれに折り重なることができる。結合部２２８と結合部２３０との間の弾性体５２の収縮によって、第２の端縁部３０は、第２の端縁部３０の近位の着用者対向面の一部を丸めるか又はこれに折り重なることができる。これらの丸まっているか又は折り重ねられた部分が、吸収性物品１０上の排泄物を収容することを助けることができるので、排泄物は、吸収性コア４０によって吸収されることができ、吸収性物品１０に隣接する衣類は汚れない。図３８は、前側腰部領域における吸収性物品の丸まっているか又は折り重ねられた部分の正面斜視図である。図３９は、前側腰部領域における吸収性物品の丸まっているか又は折り重ねられた部分の斜視図である。後側腰部領域はまた、図３８及び図３９の例示的な吸収性物品において丸まっているか又は折り重ねられた特徴部を有してもよい。これらの特徴部は、本明細書に開示された様々な湿りガード２２、２４と共に使用されてもよく、あるいは共に使用されなくてもよい。他の例では、これらの丸まっているか又は折り重ねられた部分を使用して、丸まっているか又は折り重ねられたときに、湿りガード２２、２４を生成することができる。湿りガードとして使用する場合、丸まっているか又は折り重ねられた部分は、この部分を適所に保持するように、着用者対向面に連結、結合、及び／又は接着されてもよい。設けられている場合、カフ２７の弾性体５３は、本段落に記載されたカフ２６の弾性体５２と同様の特徴又は同一の特徴を有してもよい。結合部２２４、２２６、２２８、及び２３０は、例えば、接着性結合、機械的結合、超音波結合、及び／又は熱結合を含むことができる。１つ以上のタックダウン結合部２２１もまた、吸収性物品１０上に存在してもよい。タックダウン結合部２２１を使用して、カフ２６を吸収性物品１０のトップシート又は他の部分に接合することができる。図４０を参照して、第１、第２、第３及び第４の結合部２２４、２２６、２２８及び２３０を提供する代わりに、連続的結合部２３２が、弾性体５２の少なくとも一方の端部領域に設けられてもよい。連続的結合部２３２は、上述の第１、第２、第３及び第４の結合部２２４、２２６、２２８及び２３０のように機能することができ、図３８及び図３９に示された丸まっているか又は折り重ねられた部分をもたらすことができる。連続的結合部２３２は、例えば、接着性結合、機械的結合、超音波結合、及び／又は機械的結合を含むことができる。連続的結合部はまた、設けられる場合、カフ２７の弾性体５３に設けられてもよい。弾性体は、連続的結合部が適用される前に、予歪み状態であってもよく、連続的結合部内の弾性収縮により、端部は丸められるか又は折り重ねられ得る。
【００８９】
図４１を参照して、吸収性コア４０、吸収性コア４０内の吸収性材料４２及び／又は吸収性物品の他の層の部分は、吸収性物品１０の一部を容易に折り畳むことができる１つ以上の折り目２３３を含むことができる。折り目２３３は、例えば、吸収性材料４２が少ないか又はない領域、あるいはエンボス加工領域であってもよい。折り目は、吸収性コア４０及び／又は吸収性物品１０の中の任意の好適な場所にあってもよい。折り目は、例えば、乳幼児の周囲に少なくとも部分的に吸収パッド１０を据える際に、介護者又は看護者に有益であり得る。
【００９０】
吸収性物品のカフを製造する方法もまた、開示されている。カフは、オンライン又は手作業で製造することができる。オンラインのコンテキストにおいて、第１の不織布ウェブすなわち第１のウェブは、（例えば、コンベア上で）機械方向に前進することができる。第１の不織布ウェブには、１つ以上の弾性体が予歪み状態で付与されてもよい。予歪み状態の弾性体は、第１の不織布ウェブと同じ機械方向の長さを有してもよい。予歪み状態の弾性体は、複数の接合領域２２２（例えば、個別のカフの長さあたりの１つ以上の接合領域）において第１の不織布ウェブに接合されてもよい。場合によっては、予歪み状態の弾性体は、接合領域２２２内の第１の不織布ウェブにだけ接合されてもよい。本明細書で検討されたように、接合は、接着剤又は接着材を使用してもよい。接合領域２２２の外側の弾性体の残部は、第１の不織布ウェブに対する接合部を含まなくてもよい。次に、第１の不織布ウェブは、弾性体を囲い込むように折り重ねられてもよい。他の例では、第２の不織布ウェブすなわち第２のウェブは、第１の不織布ウェブの上に位置付けられてもよく、第１の不織布ウェブに接合して、弾性体を囲い込んでもよい。第２の不織布ウェブはまた、接合領域２２２において弾性体に接合されてもよい。次いで、形成されたカフのウェブは、好適な別個の長さに切断され得る。カフのウェブが好適な別個の長さに切断されると、それぞれのカフ内の弾性体は、接合領域２２２に向かって「後戻り」してもよく、接合領域内の予歪み状態の弾性体だけが残され、弾性体の残りは、予歪み状態ではなく、第１及び／又は第２の別個の不織布ウェブには取り付けられていない。次いで、カフを吸収性物品に取り付けることができる。カフを吸収性物品に取り付けると、図３６の構造を作り出すことができる。場合によっては、第１の不織布ウェブは、他の構成要素（例えば、トップシートと吸収性コアとの中間に位置付けられた捕捉層）の中でも、トップシート、バックシート及び少なくとも部分的にそれらの間に位置付けられた吸収性コアを含む移動ウェブに、最初に接合されてもよい。この例では、カフ及び移動ウェブは、同時に別個の吸収性物品に切断されてもよい。
【００９１】
接合領域２２２において、第１及び／又は第２の不織布ウェブに接合されていることに加えて、弾性体はまた、結合部（例えば、結合部２２４、２２６、２２８及び２３０又は連続的結合部２３２）において第１及び／又は第２の不織布ウェブに接合されてもよい。これらの特徴は、自身が折り重ねられている単一のウェブカフにおいて適用され、あるいは２つのウェブカフに適用することができる。また、弾性体は、接合領域２２２においてではなく、単に結合部において第１及び／又は第２の不織布ウェブに接合されていてもよい。いずれにしても、弾性体が結合部（例えば、２２４及び２２６）に接合されると、弾性体が結合部の対の中間（例えば、図３７の「ＣＬ」）で切断された後、カフが好適な別個の長さに切断された後に、結合部間の中間の弾性体の一部が予歪み状態のままとなることとなる。これにより、結合部（例えば、２２４及び２２６）間の中間の予歪み状態の弾性部分が、予歪み力の解放の際に収縮し、図３８及び図３９に示すように、長手方向端部を丸めさせるか又は折り曲げさせることができる。
【００９２】
場合によっては、一対のカフ２６及び２７のような別個のカフが、吸収性物品に設けられなくてもよい。代わりに、図４２〜図４５を参照して、一対のカフ３２６が、第１の側縁部及び第２の側縁部３２及び３４を長手方向軸線１４に向かって内側に折り畳むことにより、吸収性物品１０内に一体に形成されてもよい。図４２は、折り重ねられたカフを有する吸収性物品の斜視の写真である。図４３は、折り重ねられたカフ３２６を有する吸収性物品１０の平面図である。図４４は、カフ３２６が長手方向軸線１４に向かって折られる前の吸収性物品１０の例示的な断面図である。図４５は、任意のタックダウン結合が適用される前の図４３の吸収性物品１０の例示的な端面図である。
【００９３】
図４３〜図４５を参照して、吸収性物品１０の構造を図示する。吸収性物品１０は、トップシート３６と、吸収性コア４０と、バックシート３８と、外側カバー不織布材料５８と、を備える。吸収性コア４０は、トップシート３６とバックシート３８との間に少なくとも部分的に配置される。弾性体３５２はまた、トップシート３６とバックシート３８との中間に位置付けられてもよく、あるいはバックシート３８と外側カバー不織布材料５８との中間に位置付けられてもよい。トップシート３６、バックシート３８、外側カバー不織布材料５８の一部を長手方向軸線１４に向かって折り曲げて、図４３及び図４５に示すような構造を生成することができる。弾性体３５２は、接合領域２２２に非常に類似している接合領域３２２においてのみカフ３２６に接合されてもよい。接合領域３２２は、弾性体３５２をトップシート３６及び／又はバックシート３８に（又はバックシート３８及び／又は外側カバー不織布材料５８に）接合する接着剤を含んでもよい。（本明細書に記載のタックダウン結合部２２１と同様の）１つ以上のタックダウン結合部３２１はまた、第１の端縁部２８及び第２の端縁部３０に近接する吸収性物品１０に存在してもよい。タックダウン結合部３２１を使用して、折り重ねられた構成においてカフ３２６の端部を保持することができる。場合によっては、弾性体３５２は設けられていなくてもよく、カフ３２６は、タックダウン結合部３２１のために「起立」していてもよい。任意の好適な数のタックダウン結合部３２１を設けることができる。
【００９４】
弾性体３５２の接合領域３２２と組み合わせたタックダウン結合部３２１により、図４２に示すように、弾性体及３５２及び接合領域３２２がない場合よりカフ３２６を「起立」させることができる。場合によっては、弾性体３５２は、トップシート３６及び／又はバックシート３８（あるいはバックシート３８及び／又は外側カバー不織布材料５８）に、全長に沿って又はこれらの長さの大部分に沿って接合されてもよい。本明細書に記載された吸収性物品１０の、例えば、湿りガード２２、２４などの他の特徴部もまた、図４２〜図４５の吸収性物品と共に使用することができる。本明細書に記載された捕捉材料５０及び分配材料５１と同様に、１つ以上の捕捉材料及び／又は分配材料もまた、トップシート３６と吸収性コア４０との中間に少なくとも部分的に設けることができる。
【００９５】
図４６を参照して、本明細書に開示された吸収性物品１０のうちの任意の吸収性コア４０は、吸収性コア４０に開口２００が画定されていてもよい。任意の好適な数の開口が設けられてもよく、開口２００は、例えば、円形又は卵形のような任意の好適な形状を有してもよい。開口２００はまた、任意の好適なサイズを有してもよい。開口２００は、すべて同じサイズ及び／又は形状であってもよく、あるいはサイズ及び／又は形状が異なっていてもよい。開口２００は、吸収性コア４０内に均一に又は不均一に分散していてもよい。開口２００により、吸収性コアはより可撓性となり、吸収性コアは、より容易に折れ曲がり、又は屈曲することができる。吸収性コアは、本明細書で検討されたような形状であってもよい。
【００９６】
図４７を参照して、本明細書に開示された吸収性物品１０のうちの任意の吸収性コア４０は、スロット２０２が吸収性コア４０に画定されていてもよい。任意の好適な数のスロット２０２が設けられてもよく、スロット２０２。スロット２０２はすべて、サイズ及び／又は形状が同じであってもよく、あるいはサイズ及び／又は形状が異なっていてもよい。スロット２０２は、直線又は非直線であっても、連続的又は非連続的であってもよい。スロット２０２は、任意の好適な方向に延在してもよい。スロット２０２は、任意の好適な幅を有してよい。場合によっては、スロット２０２は、その作製の際に除去された材料を有していなくてもよいが、吸収性コア３６において切断線となるのみであってもよい。スロット２０２は、吸収性コア４０内に均一に又は不均一に分散していてもよい。スロット２０２により、吸収性コア４０はより可撓性となり、吸収性コア４０は、より容易に折れ曲がり、又は屈曲することができる。吸収性コアは、本明細書で検討されたような形状であってもよい。
【００９７】
試験方法
すべての試験方法に対して、試験前に２時間かけて２３℃±２℃及び５０％±２％の相対湿度で、試料を調湿する。
【００９８】
股部圧縮力測定試験
股部圧縮力測定試験は、コンピュータインターフェースを備えた牽引引張試験機（図４８及び図４９）（好適な機器は、ＭＴＳ  Ｓｙｓｔｅｍｓ  Ｃｏｒｐ．（Ｅｄｅｎ  Ｐｒａｉｌｒｉｅ，Ｍｉｎｎｅｓｏｔａ）から入手可能なＴｅｓｔＷｏｒｋｓ  ４ソフトウェアを実行するコンピュータとインターフェース接続された水平方向に配向されたＭＴＳ  Ｃｒｉｔｅｒｉｏｎ  ４２である）の水平方向に配向された一定速度を使用して測定され、モーメント又は軸外側面荷重のキャンセル機能を有する、力がセルの限界の１０％〜９０％の範囲内で測定されるＳビーム型ロードセルを使用する。それぞれ直径７．０ｍｍの垂直に配向された２つの円筒形ポスト（１００１及び１００２）は、試料を圧縮するために利用される。一方のポストは、可動クロスヘッド（１００３）に固着され、他方は、固定試験治具の一部である可動そり（１００４）に固着されている。吸収性物品試料は、垂直圧縮ポスト間に懸架されている。次に、ポストは、同時に共に接近し、試料の股部領域を圧縮し、通常の使用時に着用者の脚からの吸収性物品の股部領域での圧縮をシミュレートする。実験中、機器は、力及び距離データを収集する。すべての試験は、約２３℃±２℃及び約５０％±２％の相対湿度で維持された調湿された室内で行われる。
【００９９】
垂直方向の圧縮ポストを垂直方向で互いに対して平行になるように正確に位置合わせして、機器の可動治具走行路の中心軸線に沿って水平に位置合わせする。一方のポストは、可動クロスヘッドに固着され、他方は、固定治具上の可動スレッドに固着される。プーリ及びケーブルシステム（１００５）によって、クロスヘッドが固定治具に向かって走行しながら、固定治具に固着されたそりは、クロスヘッドに向かって同時に同じ速度で走行する。これにより、２つの圧縮ポストは、実験中に、互いに向かって直線状の経路を走行することができる。
【０１００】
個々の試料を任意の外側パッケージから取り出し、試験の前に２時間かけて約２３℃±２℃及び約５０％±２％の相対湿度で事前調湿させる。試料を開いて、前後腰縁部の中間５０ｍｍを２５．４ｍｍ幅の支持バーのいずれか一方の側に固定することで、試料の股部領域が圧縮ポスト間に「Ｕ」字形状で懸架される。試料は、圧縮ポスト間でセンタリングされ、実験中に股部領域が横方向に圧縮されることとなるように位置合わせされる。試験前に最初に試料の両側に接触しない程度に圧縮ポスト間の内側間隙が広くなるように、圧縮ポストを分離する。懸吊された試料は、股部領域の底部が圧縮ポストの頂部よりも１５ｍｍ下になるように、試験用の位置に降下される。
【０１０１】
圧縮試験を行うように引張試験機をプログラムし、圧縮ポスト間の間隙が２０ｍｍと等しくなるまで、圧縮ポストが互いに向かって２４０ｍｍ／ｍｉｎの速度で移動することに等しい１２０ｍｍ／ｍｉｎの速度でクロスヘッドが走行しながら、５０Ｈｚの取得速度で力及び伸長データを収集する。ロードセルをゼロに設定し、引張試験機を起動しデータ獲得を開始する。圧縮ポスト間の内側間隙が２０ｍｍに等しいときの力を（四捨五入して）０．００１Ｎ単位で記録するように、ソフトウェアをプログラムする。実質的に類似した１０個の試料について、この手順を繰り返す。１０個の個別の股部圧縮力測定値を共に平均し、値を（四捨五入して）０．００１Ｎ単位で報告する。
【０１０２】
不透明度試験
低温スプレーを使用して、吸収性物品試料から外側カバー不織布材料及びバックシートを分離する。
【０１０３】
標準的ＣＩＥ  Ｌ＊ａ＊ｂ＊色測定を行うために好適な０°／４５°分光光度計（例えば、Ｈｕｎｔｅｒｌａｂ  Ｌａｂｓｃａｎ  ＸＥ分光光度計（Ｈｕｎｔｅｒ  Ａｓｓｏｃｉａｔｅｓ  Ｌａｂｏｒａｔｏｒｙ  Ｉｎｃ．，（Ｒｅｓｔｏｎ，ＶＡ））等）を使用して、コントラスト比測定により、不透明度を測定する。計器の測定ポートの直径は、対象領域のみが測定ポート内に含まれるように選択すべきである。解析は、約２３℃±２℃及び５０％±２％の相対湿度で調節された室内で行う。
【０１０４】
供給メーカーによって提供された標準黒白タイルを使用して供給メーカーの指示に従い機器を較正する。分光光度計を、Ｄ６５標準照明及び１０度オブザーバーを用いて、ＣＩＥ  ＸＹＺ色空間を用いるように設定する。低温スプレー及びはさみを使用して、試験対象の物品から慎重に試験片を切り取る。対象領域は、顕著なしわ、折り目又は湿り度インジケータを除く、脚周りの長手方向中心線の近傍の股部領域から選択される。試験片を、外向きの表面を分光光度計の測定ポート及びポート内の対象領域に向けて、計器に対して平らに配置する。引き裂き、穴、又は開口が測定ポート内に存在しないことを確認する。測定ポートを完全に被覆するように、白色標準タイルを試験片の反対側の表面上に配置する。ＸＹＺの読み取り値を取り、０．０１単位で記録する。試験片を移動させずに、白色プレートを取り外し、黒色標準プレートと交換する。ＸＹＺの第２の読み取り値を取り、０．０１単位で記録する。合計で１０個の複製試験片に対して、対応する部位でこの手順を繰り返す。
【０１０５】
不透明度は、裏地として黒色タイルを用いて測定したＹ値を割り、裏地として白色タイルを用いて測定したＹ値で割り、続いて比を１００倍することで算出する。不透明度値を（四捨五入して）０．０１％単位で記録する。１０個の複製の不透明度を算出し、平均不透明度を（四捨五入して）０．０１％単位で報告する。
【０１０６】
折り畳み股幅試験
折り畳み股幅（Ｗ）（図１を参照）は、吸収性物品試料を、前後腰縁部を位置合わせし、かつ対応する側縁部を互いに位置合わせするように折り曲げることにより、測定される。ＮＩＳＴにより認証された較正されたルーラを使用して、試料の外側表面の横方向幅を折り目に沿って（四捨五入して）０．１ｍｍ単位で測定及び記録する。実質的に類似した１０個の吸収性物品試料について、この手順を繰り返す。１０個の個別の折り畳み股幅（Ｗ）測定値を共に平均し、値を（四捨五入して）０．１ｍｍ単位で報告する。
【０１０７】
折り畳み股角度試験
折り畳み股角度（Ａ）（図１を参照）は、吸収性物品試料を、前後腰部縁部を位置合わせし、かつ対応する側縁部を互いに位置合わせするように折り曲げることにより測定される。ＮＩＳＴ測定基準により認定された較正された分度器を使用して、折り畳み試料の横方向軸線に対する試料の２つの角度が付いた部分６３（図１を参照）の角度（Ａ）を（四捨五入して）０．１度単位で記録する。実質的に類似した１０個の吸収性物品試料について、この手順を繰り返す。２０個の個別の折り畳み股角度（Ａ）の測定値を共に平均し、値を（四捨五入して）０．１度単位で報告する。
【０１０８】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば「４０ｍｍ」として開示された寸法は、「約４０ｍｍ」を意味するものとする。
【０１０９】
相互参照されるか又は関連する特許又は出願等の、本願に引用されるすべての文書は、明示的に除外されるか、又は別途限定されない限り、参照することによりその全体が本願に援用される。いかなる文献の引用も、それが本明細書で開示若しくは請求される任意の実施形態に関する先行技術であること、又はそれが単独で若しくは任意の他の参照（単数又は複数）との任意の組み合わせで任意のこのような実施形態を教示、提案、若しくは開示することを認めるものではない。更に、本文書における用語の任意の意味又は定義が、参照することにより援用された文書内の同じ用語の意味又は定義と矛盾する場合、本文書におけるその用語に与えられた意味又は定義が適用されるものとする。
【０１１０】
本開示の特定の実施形態が図示及び説明されたが、本開示の趣旨及び範囲から逸脱することなく様々な他の変更及び修正を行い得ることは、当業者には明白であろう。したがって、本開示の範囲内に属するすべてのこのような変更及び修正は、添付の特許請求の範囲に網羅するものとする。
【図１】
2019505337.tif 000004
【図２】
2019505337.tif 000005
【図３】
2019505337.tif 000006
【図４】
2019505337.tif 000007
【図５】
2019505337.tif 000008
【図６】
2019505337.tif 000009
【図７】
2019505337.tif 000010
【図８】
2019505337.tif 000011
【図９】
2019505337.tif 000012
【図９Ａ】
2019505337.tif 000013
【図１０】
2019505337.tif 000014
【図１１】
2019505337.tif 000015
【図１２】
2019505337.tif 000016
【図１３】
2019505337.tif 000017
【図１４】
2019505337.tif 000018
【図１５】
2019505337.tif 000019
【図１６】
2019505337.tif 000020
【図１７】
2019505337.tif 000021
【図１８】
2019505337.tif 000022
【図１９】
2019505337.tif 000023
【図２０】
2019505337.tif 000024
【図２１】
2019505337.tif 000025
【図２２】
2019505337.tif 000026
【図２３】
2019505337.tif 000027
【図２４】
2019505337.tif 000028
【図２５】
2019505337.tif 000029
【図２６】
2019505337.tif 000030
【図２７】
2019505337.tif 000031
【図２８】
2019505337.tif 000032
【図２９】
2019505337.tif 000033
【図３０】
2019505337.tif 000034
【図３１】
2019505337.tif 000035
【図３２】
2019505337.tif 000036
【図３２Ａ】
2019505337.tif 000037
【図３３】
2019505337.tif 000038
【図３４】
2019505337.tif 000039
【図３５】
2019505337.tif 000040
【図３６】
2019505337.tif 000041
【図３７】
2019505337.tif 000042
【図３８】
2019505337.tif 000043
【図３９】
2019505337.tif 000044
【図４０】
2019505337.tif 000045
【図４１】
2019505337.tif 000046
【図４２】
2019505337.tif 000047
【図４３】
2019505337.tif 000048
【図４４】
2019505337.tif 000049
【図４５】
2019505337.tif 000050
【図４６】
2019505337.tif 000051
【図４７】
2019505337.tif 000052
【図４８】
2019505337.tif 000053
【図４９】
2019505337.tif 000054
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
吸収性物品であって、
液体透過性トップシートと、
液体不透過性バックシートと、
前記液体透過性トップシートと前記液体不透過性バックシートとの中間に少なくとも部分的に位置付けられた吸収性コアと、
第１の腰部領域と、
第２の腰部領域と、
前記第１の腰部領域と前記第２の腰部領域との中間に延在する股部領域と、
前記バックシートに接合され、前記吸収性物品の衣服対向面の一部を形成する、外側カバー不織布材料と、
一対のレッグカフと、
第１の完全に取り外し可能な締着部材であって、
第１の表面を備える第１の不織布材料と、
前記第１の表面と反対側の第２の表面を備える第２の不織布材料と、
前記第１の不織布材料と前記第２の不織布材料との中間に位置付けられた第１の弾性材料と、
第１の端部と、
前記第１の端部と反対側の第２の端部と、
前記第１の表面上にあり、前記第１の端部に近接して位置付けられた、第１の締着部であって、第１の複数のフックを備える、第１の締着部と、
前記第１の表面上にあり、前記第２の端部に近接して位置付けられた、第２の締着部であって、第２の複数のフックを備える、第２の締着部と、
を備える、第１の完全に取り外し可能な締着部材と、
第２の完全に取り外し可能な締着部材であって、
第１の表面を備える第３の不織布材料と、
前記第１の表面と反対側の第２の表面を備える第４の不織布材料と、
前記第３の不織布材料と前記第４の不織布材料との中間に位置付けられた第２の弾性材料と、
第１の端部と、
前記第１の端部と反対側の第２の端部と、
前記第３の不織布材料の前記第１の表面上にあり、前記第１の端部に近接して位置付けられた、第３の締着部であって、第３の複数のフックを備える、第３の締着部と、
前記第３の不織布材料の前記第１の表面上にあり、前記第２の端部に近接して位置付けられた、第４の締着部であって、第４の複数のフックを備える、第４の締着部と、
を備える、第２の完全に取り外し可能な締着部材と、を備え、
前記吸収性物品は、前記吸収性物品の長手方向中心軸線に対して平行な方向に、４００ｍｍよりも小さいが、１００ｍｍよりも大きい長さを有し、
前記吸収性物品は、前記吸収性物品の横方向中心軸線に対して平行な方向に、２００ｍｍよりも小さいが、５０ｍｍよりも大きい幅を有する、吸収性物品。
【請求項２】
吸収性物品であって、
液体透過性トップシートと、
液体不透過性バックシートと、
前記液体透過性トップシートと前記液体不透過性バックシートとの中間に少なくとも部分的に位置付けられた吸収性コアと、
第１の腰部領域と、
第２の腰部領域と、
前記第１の腰部領域と前記第２の腰部領域との中間に延在する股部領域と、
前記バックシートに接合され、前記吸収性物品の衣服対向面の一部を形成する、外側カバー不織布材料と、
一対のレッグカフと、
第１の完全に取り外し可能な締着部材であって、
第１の表面を備える第１の不織布材料と、
前記第１の表面と反対側の第２の表面を備える第２の不織布材料と、
第１の端部と、
前記第１の端部と反対側の第２の端部と、
前記第１の表面上にあり、前記第１の端部に近接して位置付けられた、第１の締着部と、
前記第１の表面上にあり、前記第２の端部に近接して位置付けられた、第２の締着部と、
を備える、第１の完全に取り外し可能な締着部材と、
第２の完全に取り外し可能な締着部材であって、
第１の表面を備える第３の不織布材料と、
前記第１の表面と反対側の第２の表面を備える第４の不織布材料と、
第１の端部と、
前記第１の端部と反対側の第２の端部と、
前記第３の不織布材料の前記第１の表面上にあり、前記第１の端部に近接して位置付けられた、第３の締着部と、
前記第３の不織布材料の前記第１の表面上にあり、前記第２の端部に近接して位置付けられた、第４の締着部と、
を備える、第２の完全に取り外し可能な締着部材と、を備える、吸収性物品。
【請求項３】
前記第１の不織布材料と前記第２の不織布材料との中間に位置付けられた第１の弾性材料を備える、請求項２に記載の吸収性物品。
【請求項４】
前記第３の不織布材料と前記第４の不織布材料との中間に位置付けられた第２の弾性材料を備える、請求項３に記載の吸収性物品。
【請求項５】
前記吸収性物品は、前記吸収性物品の長手方向中心軸線に対して平行な方向に、４００ｍｍよりも小さいが、１００ｍｍよりも大きい長さを有する、請求項４に記載の吸収性物品。
【請求項６】
前記吸収性物品は、前記吸収性物品の長手方向中心軸線に対して平行な方向に、３００ｍｍよりも小さいが、１００ｍｍよりも大きい長さを有する、請求項４に記載の吸収性物品。
【請求項７】
前記吸収性物品は、前記吸収性物品の横方向中心軸線に対して平行な方向に、２００ｍｍよりも小さいが、５０ｍｍよりも大きい幅を有する、請求項５または６に記載の吸収性物品。
【請求項８】
前記吸収性物品は、前記吸収性物品の横方向中心軸線に対して平行な方向に、１５０ｍｍよりも小さいが、５０ｍｍよりも大きい幅を有する、請求項５または６に記載の吸収性物品。
【請求項９】
前記第１の締着部は、第１の複数のフックを備え、前記第２の締着部は、第２の複数のフックを備え、前記第３の締着部は、第３の複数のフックを備え、前記第４の締着部は、第４の複数のフックを備える、請求項２から８のいずれか一項に記載の吸収性物品。
【請求項１０】
前記吸収性物品は、股部圧縮力測定試験によると、約０．４Ｎから約１．５Ｎの範囲内の股部圧縮力を有する、請求項２から９のいずれか一項に記載の吸収性物品。
【請求項１１】
前記吸収性物品は、股部圧縮力測定試験によると、約０．４Ｎから約２．５Ｎの範囲内の股部圧縮力を有する、請求項２から９のいずれか一項に記載の吸収性物品。
【請求項１２】
前記第１の完全に取り外し可能な締着部は、長さと幅を有し、前記長さは、前記幅の寸法よりも大きい寸法を有する、請求項２から１１のいずれか一項に記載の吸収性物品。
【請求項１３】
前記第１の完全に取り外し可能な締着部材は、第１の側縁部、第２の反対側縁部、第１の端縁部、および第２の端縁部を有し、前記第１の締着部は、前記第１の側縁部および前記第２の側縁部から離間している、請求項２から１２のいずれか一項に記載の吸収性物品。
【請求項１４】
前記第２の締着部は、前記第１の側縁部および前記第２の側縁部から離間している、請求項１３に記載の吸収性物品。
【請求項１５】
前記第１の完全に取り外し可能な締着部材は、前記第１の締着部と前記第２の締着部との中間にスロットまたは開口部を画定する、請求項２から１４のいずれか一項に記載の吸収性物品。
【請求項１６】
吸収性物品であって、
液体透過性トップシートと、
液体不透過性バックシートと、
前記液体透過性トップシートと前記液体不透過性バックシートとの中間に少なくとも部分的に位置付けられた吸収性コアと、
第１の腰部領域と、
第２の腰部領域と、
前記第１の腰部領域と前記第２の腰部領域との中間に延在する股部領域と、
前記バックシートに接合され、前記吸収性物品の衣服対向面の一部を形成する、外側カバー不織布材料と、
一対のレッグカフと、
第１の完全に取り外し可能な締着部材であって、
第１の表面を備える第１の不織布材料と、
前記第１の表面と反対側の第２の表面を備える第２の不織布材料と、
前記第１の不織布材料と前記第２の不織布材料との中間に位置付けられた第１の弾性材料と、
第１の端部と、
前記第１の端部と反対側の第２の端部と、
前記第１の表面上にあり、前記第１の端部に近接して位置付けられた、第１の締着部と、
前記第１の表面上にあり、前記第２の端部に近接して位置付けられた、第２の締着部と、
を備える、第１の完全に取り外し可能な締着部材と、
第２の完全に取り外し可能な締着部材であって、
第１の表面を備える第３の不織布材料と、
前記第１の表面と反対側の第２の表面を備える第４の不織布材料と、
前記第３の不織布材料と前記第４の不織布材料との中間に位置付けられた第２の弾性材料と、
第１の端部と、
前記第１の端部と反対側の第２の端部と、
前記第３の不織布材料の前記第１の表面上にあり、前記第１の端部に近接して位置付けられた、第３の締着部と、
前記第３の不織布材料の前記第１の表面上にあり、前記第２の端部に近接して位置付けられた、第４の締着部と、
を備える、第２の完全に取り外し可能な締着部材と、を備え、
前記吸収性物品は、前記吸収性物品の長手方向中心軸線に対して平行な方向に、４００ｍｍよりも小さいが、１００ｍｍよりも大きい長さを有し、
前記吸収性物品は、前記吸収性物品の横方向中心軸線に対して平行な方向に、２００ｍｍよりも小さいが、５０ｍｍよりも大きい幅を有する、吸収性物品。
【請求項１７】
前記吸収性物品は、前記吸収性物品の長手方向中心軸線に対して平行な方向に、３００ｍｍよりも小さいが、１００ｍｍよりも大きい長さを有する、請求項１６に記載の吸収性物品。
【請求項１８】
前記吸収性物品は、前記吸収性物品の横方向中心軸線に対して平行な方向に、１５０ｍｍよりも小さいが、５０ｍｍよりも大きい幅を有する、請求項１６または１７に記載の吸収性物品。
【請求項１９】
前記第１の締着部は、第１の複数のフックを備え、前記第２の締着部は、第２の複数のフックを備え、前記第３の締着部は、第３の複数のフックを備え、前記第４の締着部は、第４の複数のフックを備える、請求項１６から１８のいずれか一項に記載の吸収性物品。
【請求項２０】
前記吸収性物品は、股部圧縮力測定試験によると、約０．４Ｎから約２．５Ｎの範囲内の股部圧縮力を有する、請求項１６から１９のいずれか一項に記載の吸収性物品。
【国際調査報告】
2019505337.tif 000055
2019505337.tif 000056
2019505337.tif 000057